(57)【要約】  ワイヤレス通信のための方法、システム、およびデバイスが説明される。説明される技法は、（例えば、拡張）送信時間期間（ＴＴＩ）を修正すること、または複数のミニスロットにわたる基準信号を共有することによって、アグリゲートされたミニスロットにわたる基準信号の送信および構成を提供する。基準信号は、複数のアグリゲートされたミニスロットの間で共有され、基準信号パターンは、データペイロード割り振り、変調コーディングスキーム（ＭＣＳ）、ランク、またはアグリゲートされたスロットの他の要因に基づいて決定され得る。データペイロードは、各ミニスロットのために一緒にまたは別個にスケジュールされ得、アグリゲートされたミニスロットのセットにわたって割り振られ得る。【選択図】図６Ｂ
2020518194.tif 000002
【特許請求の範囲】
【請求項１】
ワイヤレス通信のための方法であって、
１つまたは複数の基準信号および少なくとも１つのデータペイロードの送信のために使用されるべきアグリゲートされたミニスロットのセットを識別することと、
前記アグリゲートされたミニスロットのセットを介して前記１つまたは複数の基準信号の送信のための基準信号構成を決定することと、
前記アグリゲートされたミニスロットのセットに関連付けられたリソースに前記少なくとも１つのデータペイロードを割り振ることと、
前記アグリゲートされたミニスロットのセットを介して、前記基準信号構成および前記少なくとも１つのデータペイロードの前記割り振りに基づく、前記１つまたは複数の基準信号および前記少なくとも１つのデータペイロードを送信することと
を備える、方法。
【請求項２】
前記少なくとも１つのデータペイロードを割り振ることは、
前記アグリゲートされたミニスロットのセットにわたって前記少なくとも１つのデータペイロードを割り振ることを備える、
請求項１に記載の方法。
【請求項３】
前記少なくとも１つのデータペイロードを割り振ることは、
前記アグリゲートされたミニスロットのセットのそれぞれのミニスロットに前記少なくとも１つのペイロードの各データペイロードを割り振ることを備える、
請求項１に記載の方法。
【請求項４】
前記基準信号構成を決定することは、
前記アグリゲートされたミニスロットのセットにわたって基準信号パターンを決定することを備える、
請求項１に記載の方法。
【請求項５】
前記少なくとも１つのデータペイロードを割り振ることは、
前記アグリゲートされたミニスロットのセットにわたって前記少なくとも１つのデータペイロードを割り振ることを備え、
前記基準信号構成は、前記アグリゲートされたミニスロットのセットの各ミニスロットのための基準信号パターンを決定することを備える、
請求項１に記載の方法。
【請求項６】
前記アグリゲートされたミニスロットのセットのうちの少なくとも１つのミニスロットのためのパンクチャリングの度合を決定することをさらに備え、前記少なくとも１つのミニスロットの分割は、前記決定されたパンクチャリングの度合に少なくとも部分的に基づく、
請求項１に記載の方法。
【請求項７】
前記少なくとも１つのデータペイロードを割り振ることは、
前記アグリゲートされたミニスロットのセットのそれぞれのミニスロットに前記少なくとも１つのペイロードの各データペイロードを割り振ることを備え、
前記基準信号構成を決定することは、前記アグリゲートされたミニスロットのセットにわたって基準信号パターンを決定することを備え、前記基準信号パターンは、前記アグリゲートされたミニスロットのセットのうちの複数のミニスロットの間で共有される、
請求項１に記載の方法。
【請求項８】
前記アグリゲートされたミニスロットのセットのうちの第１のミニスロットのための基準信号波形は、前記アグリゲートされたミニスロットのセットのうちの第２のミニスロットの前記基準信号波形と異なる、
請求項７に記載の方法。
【請求項９】
前記アグリゲートされたミニスロットのセットのうちの複数のミニスロットに共通する情報を備える少なくとも１つの許可を識別することをさらに備え、前記複数のミニスロットに対応するダウンリンク制御情報（ＤＣＩ）は、前記複数のミニスロットに前記共通の情報に少なくとも部分的に基づく、
請求項７に記載の方法。
【請求項１０】
前記少なくとも１つの許可を指し示すインジケータのアイデンティフィケーションに少なくとも部分的に基づく前記少なくとも１つの許可を識別することをさらに備える、
請求項９に記載の方法。
【請求項１１】
前記少なくとも１つの許可を指し示す前記インジケータは、前記複数のミニスロットに対応する前記ＤＣＩ中に含まれる、
請求項１０に記載の方法。
【請求項１２】
前記複数のミニスロットに前記共通の情報は、波形特徴、リソースブロック割り振り、ランク、またはこれらの組合せを備える、
請求項９に記載の方法。
【請求項１３】
前記ＤＣＩは、前記複数のミニスロットに前記共通の情報に対応する１つまたは複数の短縮されたフィールドを備える、
請求項９に記載の方法。
【請求項１４】
前記少なくとも１つの許可は、単一許可から成る、
請求項９に記載の方法。
【請求項１５】
前記複数のミニスロットのための前記基準信号構成は、前記複数のミニスロットに対応する前記ＤＣＩに少なくとも部分的に基づいて決定される、
請求項９に記載の方法。
【請求項１６】
前記アグリゲートされたミニスロットのセットの各ミニスロットのための１つまたは複数のスケジューリングパラメータおよび前記アグリゲートされたミニスロットのセットのうちの少なくとも２つのミニスロットの間の区切りを決定することをさらに備え、前記基準信号構成は、前記スケジューリングパラメータおよび前記区切りに少なくとも部分的に基づいて決定される、
請求項７に記載の方法。
【請求項１７】
２つのミニスロットの間の時間区切りおよび周波数区切りのうちの１つまたは両方に少なくとも部分的に基づいて前記アグリゲートされたミニスロットのセットのうちの前記２つのミニスロットの間の前記基準信号パターンを共有するかどうか決定することをさらに備える、
請求項７に記載の方法。
【請求項１８】
前記アグリゲートされたミニスロットのセットのうちの複数のミニスロットは、連続的であり、同じリソース割り振りを有する、
請求項７に記載の方法。
【請求項１９】
前記少なくとも１つのデータペイロードを割り振ることは、
前記アグリゲートされたミニスロットのセットにわたっておよび単一許可メッセージに少なくとも部分的に基づいて前記少なくとも１つのデータペイロードを割り振ることを備え、
前記基準信号構成を決定することは、前記アグリゲートされたミニスロットのセットにわたって基準信号パターンを決定することを備え、前記基準信号パターンは、前記アグリゲートされたミニスロットのセットのうちの複数のミニスロットの間で共有される、
請求項１に記載の方法。
【請求項２０】
前記単一許可メッセージに少なくとも部分的に基づいて、前記アグリゲートされたミニスロットのセットうちの複数のミニスロットに共通の１つまたは複数のスケジューリングパラメータを決定することをさらに備え、前記基準信号パターンは、前記１つまたは複数のスケジューリングパラメータに少なくとも部分的に基づく、
請求項１９に記載の方法。
【請求項２１】
前記少なくとも１つのデータペイロードの前記割り振りまたは前記基準信号構成の前記決定は、前記アグリゲートされたミニスロットのセットの各ミニスロットのための変調およびコーディングスキーム（ＭＣＳ）に少なくとも部分的に基づき、第１のミニスロットのための前記ＭＣＳは、第２のミニスロットのための前記ＭＣＳと異なる、
請求項１９に記載の方法。
【請求項２２】
周波数第１のマッピングスキームまたは時間第１のマッピングスキームに少なくとも部分的に基づいて前記アグリゲートされたミニスロットのセットを符号化することをさらに備え、前記１つまたは複数の基準信号および前記少なくとも１つのデータペイロードの送信は、前記符号化することに基づく、
請求項１に記載の方法。
【請求項２３】
それぞれの許可メッセージを介して、または単一許可メッセージを介して前記アグリゲートされたミニスロットのセットの各々をスケジュールすることをさらに備える、
請求項１に記載の方法。
【請求項２４】
前記アグリゲートされたミニスロットのセットのうちの第１のミニスロットは、前記アグリゲートされたミニスロットのセットのうちの第２のミニスロットと異なる帯域幅を有する、
請求項１に記載の方法。
【請求項２５】
前記基準信号構成は、前記アグリゲートされたミニスロットのセットのうちの１つまたは複数のミニスロットの、スペクトル効率、リソース要素（ＲＥ）の数、トランスポートブロック（ＴＢＳ）、ＴＢＳおよびＲＥの数の比、またはこれらの任意の組合せに基づいて決定される、
請求項１に記載の方法。
【請求項２６】
前記基準信号構成は、前記アグリゲートされたミニスロットのセットの各ミニスロットのための変調およびコーディングスキーム（ＭＣＳ）に少なくとも部分的に基づいて決定される、
請求項１に記載の方法。
【請求項２７】
前記少なくとも１つのデータペイロードの前記割り振りは、前記アグリゲートされたミニスロットのセットの各ミニスロットのための変調およびコーディングスキーム（ＭＣＳ）に少なくとも部分的に基づき、前記アグリゲートされたミニスロットのセットのうちの第１のミニスロットのための前記ＭＣＳは、前記アグリゲートされたミニスロットのセットのうちの第２のミニスロットのための前記ＭＣＳと異なる、
請求項１に記載の方法。
【請求項２８】
前記１つまたは複数の基準信号は、復調基準信号（ＤＭＲＳ）、位相トラッキング基準信号（ＰＴＲＳ）、時間トラッキング基準信号、または周波数トラッキング基準信号を備える、
請求項１に記載の方法。
【請求項２９】
ワイヤレス通信のための装置であって、
１つまたは複数の基準信号および少なくとも１つのデータペイロードの送信のために使用されるべきアグリゲートされたミニスロットのセットを識別するための手段と、
前記アグリゲートされたミニスロットのセットを介して前記１つまたは複数の基準信号の送信のための基準信号構成を決定するための手段と、
前記アグリゲートされたミニスロットのセットに関連付けられたリソースに前記少なくとも１つのデータペイロードを割り振るための手段と、
前記アグリゲートされたミニスロットのセットを介して、前記基準信号構成および前記少なくとも１つのデータペイロードの前記割り振りに基づく、前記１つまたは複数の基準信号および前記少なくとも１つのデータペイロードを送信するための手段と
を備える、装置。
【請求項３０】
前記少なくとも１つのペイロードを前記割り振るための手段は、
前記アグリゲートされたミニスロットのセットにわたって前記少なくとも１つのデータペイロードを割り振るための手段を備える、
請求項２９に記載の装置。
【請求項３１】
前記少なくとも１つのペイロードを前記割り振るための手段は、
前記アグリゲートされたミニスロットのセットのそれぞれのミニスロットに前記少なくとも１つのペイロードの各データペイロードを割り振るための手段を備える、
請求項２９に記載の装置。
【請求項３２】
前記基準信号を前記決定するための手段は、
前記アグリゲートされたミニスロットのセットにわたって基準信号パターンを決定するための手段を備える、
請求項２９に記載の装置。
【請求項３３】
前記アグリゲートされたミニスロットのセットにわたって前記少なくとも１つのデータペイロードを割り振るこための手段と、
前記アグリゲートされたミニスロットのセットの各ミニスロットのための基準信号パターンを決定するための手段と
請求項２９に記載の装置。
【請求項３４】
前記アグリゲートされたミニスロットのセットのうちの少なくとも１つのミニスロットのためのパンクチャリングの度合を決定するための手段をさらに備え、前記少なくとも１つのミニスロットの分割は、前記決定されたパンクチャリングの度合に少なくとも部分的に基づく、
請求項２９に記載の装置。
【請求項３５】
前記アグリゲートされたミニスロットのセットのそれぞれのミニスロットに前記少なくとも１つのペイロードの各データペイロードを割り振るための手段と、
前記アグリゲートされたミニスロットのセットにわたって基準信号パターンを決定するための手段、ここにおいて、前記基準信号パターンは、前記アグリゲートされたミニスロットのセットのうちの複数のミニスロットの間で共有される、と
をさらに備える、請求項２９に記載の装置。
【請求項３６】
前記アグリゲートされたミニスロットのセットのうちの第１のミニスロットのための基準信号波形は、前記アグリゲートされたミニスロットのセットのうちの第２のミニスロットの前記基準信号波形と異なる、
請求項３５に記載の装置。
【請求項３７】
前記アグリゲートされたミニスロットのセットのうちの複数のミニスロットに共通する情報を備える少なくとも１つの許可を識別するための手段をさらに備え、前記複数のミニスロットに対応するダウンリンク制御情報（ＤＣＩ）は、前記複数のミニスロットに前記共通の情報に少なくとも部分的に基づく、
請求項３５に記載の装置。
【請求項３８】
前記少なくとも１つの許可を指し示すインジケータのアイデンティフィケーションに少なくとも部分的に基づく前記少なくとも１つの許可を識別するための手段をさらに備える、
請求項３７に記載の装置。
【請求項３９】
前記少なくとも１つの許可を指し示す前記インジケータは、前記複数のミニスロットに対応する前記ＤＣＩ中に含まれる、
請求項３８に記載の装置。
【請求項４０】
前記複数のミニスロットに前記共通の情報は、波形特徴、リソースブロック割り振り、ランク、またはこれらの組合せを備える、
請求項３７に記載の装置。
【請求項４１】
前記ＤＣＩは、前記複数のミニスロットに前記共通の情報に対応する１つまたは複数の短縮されたフィールドを備える、
請求項３７に記載の装置。
【請求項４２】
前前記少なくとも１つの許可は、単一許可から成る、
請求項３７に記載の装置。
【請求項４３】
前記複数のミニスロットのための前記基準信号構成は、前記複数のミニスロットに対応する前記ＤＣＩに少なくとも部分的に基づいて決定される、
請求項３７に記載の装置。
【請求項４４】
前記アグリゲートされたミニスロットのセットの各ミニスロットのための１つまたは複数のスケジューリングパラメータおよび前記アグリゲートされたミニスロットのセットのうちの少なくとも２つのミニスロットの間の区切りを決定するための手段をさらに備え、前記基準信号構成は、前記スケジューリングパラメータおよび前記区切りに少なくとも部分的に基づいて決定される、
請求項３５に記載の装置。
【請求項４５】
２つのミニスロットの間の時間区切りおよび周波数区切りのうちの１つまたは両方に少なくとも部分的に基づいて前記アグリゲートされたミニスロットのセットのうちの前記２つのミニスロットの間の前記基準信号パターンを共有するかどうか決定するための手段をさらに備える、
請求項３５に記載の装置。
【請求項４６】
前記アグリゲートされたミニスロットのセットのうちの複数のミニスロットは、連続的であり、同じリソース割り振りを有する、
請求項３５に記載の装置。
【請求項４７】
前記アグリゲートされたミニスロットのセットにわたっておよび単一許可メッセージに少なくとも部分的に基づいて前記少なくとも１つのデータペイロードを割り振るための手段を備え、
前記アグリゲートされたミニスロットのセットにわたって基準信号パターンを決定するための手段、ここにおいて、前記基準信号パターンは、前記アグリゲートされたミニスロットのセットのうちの複数のミニスロットの間で共有される、と
をさらに備える、請求項２９に記載の装置。
【請求項４８】
前記単一許可メッセージに少なくとも部分的に基づいて、前記アグリゲートされたミニスロットのセットうちの複数のミニスロットに共通の１つまたは複数のスケジューリングパラメータを決定するための手段をさらに備え、前記基準信号パターンは、前記１つまたは複数のスケジューリングパラメータに少なくとも部分的に基づく、、
請求項４７に記載の装置。
【請求項４９】
前記少なくとも１つのデータペイロードの前記割り振りまたは前記基準信号構成の前記決定は、前記アグリゲートされたミニスロットのセットの各ミニスロットのための変調およびコーディングスキーム（ＭＣＳ）に少なくとも部分的に基づき、第１のミニスロットのための前記ＭＣＳは、第２のミニスロットのための前記ＭＣＳと異なる、
請求項４７に記載の装置。
【請求項５０】
周波数第１のマッピングスキームまたは時間第１のマッピングスキームに少なくとも部分的に基づいて前記アグリゲートされたミニスロットのセットを符号化するための手段をさらに備え、前記１つまたは複数の基準信号および前記少なくとも１つのデータペイロードの送信は、前記符号化することに基づく、
請求項２９に記載の装置。
【請求項５１】
それぞれの許可メッセージを介して、または単一許可メッセージを介して前記アグリゲートされたミニスロットのセットの各々をスケジュールするための手段をさらに備える、
請求項２９に記載の装置。
【請求項５２】
前記アグリゲートされたミニスロットのセットのうちの第１のミニスロットは、前記アグリゲートされたミニスロットのセットのうちの第２のミニスロットと異なる帯域幅を有する、
請求項２９に記載の装置。
【請求項５３】
前記基準信号構成は、前記アグリゲートされたミニスロットのセットのうちの１つまたは複数のミニスロットの、スペクトル効率、リソース要素（ＲＥ）の数、トランスポートブロック（ＴＢＳ）、ＴＢＳおよびＲＥの数の比、またはこれらの任意の組合せに基づいて決定される、
請求項２９に記載の装置。
【請求項５４】
前記基準信号構成は、前記アグリゲートされたミニスロットのセットの各ミニスロットのための変調およびコーディングスキーム（ＭＣＳ）に少なくとも部分的に基づいて決定される、
請求項２９に記載の装置。
【請求項５５】
前記少なくとも１つのデータペイロードの前記割り振りは、前記アグリゲートされたミニスロットのセットの各ミニスロットのための変調およびコーディングスキーム（ＭＣＳ）に少なくとも部分的に基づき、前記アグリゲートされたミニスロットのセットのうちの第１のミニスロットのための前記ＭＣＳは、前記アグリゲートされたミニスロットのセットのうちの第２のミニスロットのための前記ＭＣＳと異なる、
請求項２９に記載の装置。
【請求項５６】
前記１つまたは複数の基準信号は、復調基準信号（ＤＭＲＳ）、位相トラッキング基準信号（ＰＴＲＳ）、時間トラッキング基準信号、または周波数トラッキング基準信号を備える、
請求項２９に記載の装置。
【請求項５７】
ワイヤレス通信のための装置であって、
プロセッサと、
前記プロセッサと電子通信中のメモリと、
前記メモリ中に記憶され、前記装置に、
１つまたは複数の基準信号および少なくとも１つのデータペイロードの送信のために使用されるべきアグリゲートされたミニスロットのセットを識別することと、
前記アグリゲートされたミニスロットのセットを介して前記１つまたは複数の基準信号の送信のための基準信号構成を決定することと、
前記アグリゲートされたミニスロットのセットに関連付けられたリソースに前記少なくとも１つのデータペイロードを割り振ることと、
前記アグリゲートされたミニスロットのセットを介して、前記基準信号構成および前記少なくとも１つのデータペイロードの前記割り振りに基づく、前記１つまたは複数の基準信号および前記少なくとも１つのデータペイロードを送信することと
を行わせる、前記プロセッサによって実行可能な命令と
備える、装置。
【請求項５８】
ワイヤレス通信のためのコードを記憶する非一時的コンピュータ可読媒体であって、前記コードは、プロセッサによって、
１つまたは複数の基準信号および少なくとも１つのデータペイロードの送信のために使用されるべきアグリゲートされたミニスロットのセットを識別することと、
前記アグリゲートされたミニスロットのセットを介して前記１つまたは複数の基準信号の送信のための基準信号構成を決定することと、
前記アグリゲートされたミニスロットのセットに関連付けられたリソースに前記少なくとも１つのデータペイロードを割り振ることと、
前記アグリゲートされたミニスロットのセットを介して、前記基準信号構成および前記少なくとも１つのデータペイロードの前記割り振りに基づく、前記１つまたは複数の基準信号および前記少なくとも１つのデータペイロードを送信することと
を行うように実行可能な命令を備える、非一時的コンピュータ可読媒体。
【発明の詳細な説明】
【相互参照】
【０００１】
[0001]本特許出願は、「Reference Signal Design for Slot Aggregation」と題されて２０１８年４月２６日に出願された、Ａｋｋａｒａｋａｒａｎらによる米国特許出願第１５／９６４，０１０号、および、「Reference Signal Design for Slot Aggregation」と題されて２０１７年４月２８日に出願された、Ａｋｋａｒａｋａｒａｎらによる米国特許仮出願第６２／４９２，０４０号に対して優先権を主張し、それらの各々は、本願の譲受人に譲渡される。
【背景技術】
【０００２】
[0002]以下は概して、ワイヤレス通信に関し、より具体的には、スロットアグリゲーションのための基準信号設計に関する。
【０００３】
[0003]ワイヤレス通信システムは、音声、ビデオ、パケットデータ、メッセージング、ブロードキャスト等のような、様々なタイプの通信コンテンツを提供するために広く展開されている。これらのシステムは、利用可能なシステムリソース（例えば、時間、周波数、および電力）を共有することによって複数のユーザとの通信をサポートすることが可能であり得る。このような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（例えば、ロングタームエボリューション（ＬＴＥ（登録商標））システム、または新たな無線（ＮＲ：New Radio）システム）を含む。ワイヤレス多元接続通信システムは、いくつかの基地局またはアクセスネットワークノードを含み得、各々が、別名ユーザ機器（ＵＥ）として知られ得る複数の通信デバイスのための通信を同時にサポートする。
【０００４】
[0004]いくつかのワイヤレス通信システムは、複数のスロットまたはミニスロットがＵＥと基地局との間の通信のために一緒にアグリゲートされ得る、スロットアグリゲーションをインプリメントし得る。基準信号を送信するとき、ＵＥは、異なる時間または異なる周期で所与の基準信号シーケンスを送信するように構成され得、それは、フィードバックを提供する、チャネル条件を推定する、等のために使用されることができる。スロットアグリゲーションが採用される場合、従来の基準信号構成は、アグリゲートされたスロットにわたる使用のために適切ではなく、その結果、スロットアグリゲーションのための基準信号構成が望まれる。
【発明の概要】
【０００５】
[0005]説明される技法は、スロットアグリゲーションのための基準設計をサポートする改善された方法、システム、デバイス、または装置に関する。概して、説明される技法は、（例えば、拡張）送信時間間隔（ＴＴＩ）を修正すること、または複数のミニスロットにわたる基準信号構成を共有することによって、１つまたは複数のスロットまたはミニスロットにわたる基準信号の送信を提供する。複数のミニスロットは、（例えば、信号許可を使用して）一緒に、または、（例えば、各ミニスロットのための複数のそれぞれの許可を使用して）別個にスケジュールされ得る。
【０００６】
[0006]基準信号構成は、複数のアグリゲートされたミニスロットの間で共有され、基準信号パターンは、データペイロード割り振り、変調コーディングスキーム（ＭＣＳ）、ランク、またはアグリゲートされたミニスロットの他の要因に基づいて決定され得る。データペイロードは、各ミニスロットのために一緒にまたは別個にスケジュールされ得、いくつかのケースでは、アグリゲートされたミニスロットのセットにわたって割り振られ得る。全てのアグリゲートされたミニスロットにわたってスケジュールされた単一ペイロードのケースでは、各ミニスロットのためのフラクショナルトランスポートブロックサイズ（ＴＢＳ）は、アグリゲートされたミニスロットのセットに割り振られたリソース要素（ＲＥ）の数、中でも他のファクタに基づいて決定され得る。このような技法は、ミニスロットアグリゲーションまたはシステム展開スロット（systems deploying slot）におけるデータペイロードまたは１つまたは複数の基準信号の構成および送信のために使用され得る。
【０００７】
[0007]ワイヤレス通信の方法が説明される。方法は、１つまたは複数の基準信号および少なくとも１つのデータペイロードの送信のために使用されるべきアグリゲートされたミニスロットのセットを識別することと、アグリゲートされたミニスロットのセットを介して１つまたは複数の基準信号の送信のための基準信号構成を決定することと、アグリゲートされたミニスロットのセットに関連付けられたリソースに少なくとも１つのデータペイロードを割り振ることと、アグリゲートされたミニスロットのセットを介して、基準信号構成および少なくとも１つのデータペイロードの割り振りに少なくとも部分的に基づく、１つまたは複数の基準信号および少なくとも１つのデータペイロードを送信することとを含み得る。
【０００８】
[0008]ワイヤレス通信のための装置が説明される。装置は、１つまたは複数の基準信号および少なくとも１つのデータペイロードの送信のために使用されるべきアグリゲートされたミニスロットのセットを識別するための手段と、アグリゲートされたミニスロットのセットを介して１つまたは複数の基準信号の送信のための基準信号構成を決定するための手段と、アグリゲートされたミニスロットのセットに関連付けられたリソースに少なくとも１つのデータペイロードを割り振るための手段と、アグリゲートされたミニスロットのセットを介して、基準信号構成および少なくとも１つのデータペイロードの割り振りに少なくとも部分的に基づく、１つまたは複数の基準信号および少なくとも１つのデータペイロードを送信するための手段とを含み得る。
【０００９】
[0009]ワイヤレス通信のための別の装置が説明される。この装置は、プロセッサと、プロセッサと電子通信するメモリと、メモリに記憶された命令とを含み得る。命令は、プロセッサに、１つまたは複数の基準信号および少なくとも１つのデータペイロードの送信のために使用されるべきアグリゲートされたミニスロットのセットを識別することと、アグリゲートされたミニスロットのセットを介して１つまたは複数の基準信号の送信のための基準信号構成を決定することと、アグリゲートされたミニスロットのセットに関連付けられたリソースに少なくとも１つのデータペイロードを割り振ることと、アグリゲートされたミニスロットのセットを介して、基準信号構成および少なくとも１つのデータペイロードの割り振りに少なくとも部分的に基づく、１つまたは複数の基準信号および少なくとも１つのデータペイロードを送信することとを行わせるように動作可能であり得る。
【００１０】
[0010]ワイヤレス通信のための非一時的コンピュータ可読媒体が説明される。非一時的コンピュータ可読媒体は、プロセッサに、１つまたは複数の基準信号および少なくとも１つのデータペイロードの送信のために使用されるべきアグリゲートされたミニスロットのセットを識別することと、アグリゲートされたミニスロットのセットを介して１つまたは複数の基準信号の送信のための基準信号構成を決定することと、アグリゲートされたミニスロットのセットに関連付けられたリソースに少なくとも１つのデータペイロードを割り振ることと、アグリゲートされたミニスロットのセットを介して、基準信号構成および少なくとも１つのデータペイロードの割り振りに少なくとも部分的に基づく、１つまたは複数の基準信号および少なくとも１つのデータペイロードを送信することとを行うよう動作可能な命令を含み得る。
【００１１】
[0011]上で説明される方法、装置、および非一時的コンピュータ可読媒体のいくつかの例では、少なくとも１つのデータペイロードを割り振ることは、アグリゲートされたミニスロットのセットにわたって少なくとも１つのデータペイロードを割り振ることを備える。
【００１２】
[0012]上で説明される方法、装置、および非一時的コンピュータ可読媒体のいくつかの例では、少なくとも１つのデータペイロードを割り振ることは、アグリゲートされたミニスロットのそれぞれのミニスロットに少なくとも１つのデータペイロードの各データペイロードを割り振ることを備える。
【００１３】
[0013]上で説明される方法、装置、および非一時的コンピュータ可読媒体のいくつかの例では、基準信号構成を決定することは、アグリゲートされたミニスロットのセットの各ミニスロットのための基準信号パターンを決定することを備える。
【００１４】
[0014]上で説明される方法、装置、および非一時的コンピュータ可読媒体のいくつかの例では、基準信号構成を決定することは、アグリゲートされたミニスロットのセットにわたって基準信号パターンを決定することを備える。
【００１５】
[0015]上で説明される方法、装置、および非一時的コンピュータ可読媒体のいくつかの例では、各ミニスロットのための基準信号パターンを決定することは、ＭＣＳ、ランク、波形、リソース割り振り、送信ダイバーシティスキーム、またはアグリゲートされたミニスロットのセットの各ミニスロットのためのそれらについての組合せのうちの少なくとも１つに少なくとも部分的に基づき得る。
【００１６】
[0016]上で説明される方法、装置、および非一時的コンピュータ可読媒体のいくつかの例では、アグリゲートされたミニスロットのセットのうちの第１のミニスロットのための、ＭＣＳ、ランク、波形、リソース割り振り、または送信ダイバーシティスキームは、アグリゲートされたミニスロットのセットのうちの第２のミニスロットのための、ＭＣＳ、ランク、波形、リソース割り振り、または送信ダイバーシティスキームと異なり得る。
【００１７】
[0017]上で説明される方法、装置、および非一時的コンピュータ可読媒体のいくつかの例では、アグリゲートされたミニスロットのセットのうちの第１のミニスロットのための基準信号構成は、アグリゲートされたミニスロットのセットのうちの第２のミニスロットのための基準信号構成と異なり得る。
【００１８】
[0018]上で説明される方法、装置、および非一時的コンピュータ可読媒体のいくつかの例では、アグリゲートされたミニスロットのセットのうちの第１のミニスロットのための基準信号構成は、第１のミニスロットのためのパンクチャリングの度合に少なくとも部分的に基づき得る。
【００１９】
[0019]上述された方法、装置、および非一時的コンピュータ可読媒体のいくつかの例では、第１のミニスロットのためのパンクチャリングの度合は、少なくとも１つのミニスロットのために構成された追加の信号に少なくとも部分的に基づき得る。
【００２０】
[0020]上述された方法、装置、および非一時的コンピュータ可読媒体のいくつかの例では、基準信号構成は、スペクトル効率、ＲＥの数、フラクショナルＴＢＳ、ＴＢＳの割合、ＲＥの数、ランク、波形送信ダイバーシティスキーム、またはこれらの任意の組み合わせに少なくとも部分的に基づいて決定され得る。
【００２１】
[0021]上述された方法、装置、および非一時的コンピュータ可読媒体のいくつかの例は、アグリゲートされたミニスロットのセットに関連付けられたＲＥの数、アグリゲートされたミニスロットのセットの各ミニスロットの変調次数、アグリゲートされたミニスロットのセットの各ミニスロットのランク、アグリゲートされたミニスロットのセットの各ミニスロットのパンクチャリングの度合、アグリゲートされたミニスロットのセットの各ミニスロットのためのレートマッチングスキーム、またはこれらの任意の組合せに少なくとも部分的に基づいて、アグリゲートされたミニスロットのセットのうちの第１のミニスロットのためのフラクショナルＴＢＳを決定するための処理、特徴、手段、または命令をさらに含み得、少なくとも１つのデータペイロードの一部は、フラクショナルＴＢＳに少なくとも部分的に基づいて第１のミニスロットに割り振られ得る。
【００２２】
[0022]上述された方法、装置、および非一時的コンピュータ可読媒体のいくつかの例は、アグリゲートされたミニスロットのセットの少なくとも１つのためのパンクチャリングの度合を決定するための処理、特徴、手段、または命令をさらに含み得、少なくとも１つのミニスロットの分割は、決定されたパンクチャリングの度合に少なくとも部分的に、基づく。
【００２３】
[0023]上で説明される方法、装置、および非一時的コンピュータ可読媒体のいくつかの例では、基準信号パターンは、アグリゲートされたミニスロットのセットの複数のミニスロットの間で共有され得る。
【００２４】
[0024]上で説明される方法、装置、および非一時的コンピュータ可読媒体のいくつかの例では、アグリゲートされたミニスロットのセットのうちの第１のミニスロットのための基準信号波形は、アグリゲートされたミニスロットのセットのうちの第２のミニスロットのための基準信号波形と異なり得る。
【００２５】
[0025]上述された方法、装置、および非一時的コンピュータ可読媒体のいくつかの例は、アグリゲートされたミニスロットのセットの複数のミニスロットに共通の情報を備える少なくとも１つの許可を識別するための処理、特徴、手段、または命令をさらに含み得、少なくとも複数のミニスロットのに対応するダウンリンク制御情報（ＤＣＩ）は、複数のミニスロットに共通の情報に少なくとも部分的に基づき得る。
【００２６】
[0026]上述された方法、装置、および非一時的コンピュータ可読媒体のいくつかの例はさらに、少なくとも１つの許可を指すインジケータのアイデンティフィケーションに少なくとも部分的に基づき得る、少なくとも１つの許可を識別するための、処理、特徴、手段、または命令を含み得る。
【００２７】
[0027]上で説明される方法、装置、および非一時的コンピュータ可読媒体のいくつかの例では、少なくとも１つの許可を指し示すインジケータは、複数のミニスロットに対応するＤＣＩ中に含まれ得る。
【００２８】
[0028]上で説明される方法、装置、および非一時的コンピュータ可読媒体のいくつかの例では複数のミニスロットに共通する情報は、波形特徴、リソースブロック割り振り、ランク、またはそれらの組合せを備える。
【００２９】
[0029]上述された方法、装置、および非一時的コンピュータ可読媒体のいくつかの例では、ＤＣＩは、複数のミニスロットに共通する情報に対応する１つまたは複数の短縮されたフィールドを備える。
【００３０】
[0030]上述された方法、装置、および非一時的コンピュータ可読媒体のいくつかの例では、少なくとも１つの許可は、単一許可から成る。
【００３１】
[0031]上述された方法、装置、および非一時的コンピュータ可読媒体のいくつかの例では、複数のミニスロットのための基準信号構成は、複数のミニスロットに対応するＤＣＩに少なくとも部分的に基づいて決定され得る。
【００３２】
[0032]上述された方法、装置、および非一時的コンピュータ可読媒体のいくつかの例はさらに、アグリゲートされたミニスロットのセットの各ミニスロットのための１つまたは複数のスケジューリングパラメータ、アグリゲートされたミニスロットのセットのうちの少なくとも２つのミニスロットの間の区切りを決定するための処理、特徴、手段、または命令をさらに含み得、基準信号構成は、スケジューリングパラメータおよび区切りに少なくとも部分的に基づいて決定され得る。
【００３３】
[0033]上述された方法、装置、および非一時的コンピュータ可読媒体のいくつかの例はさらに、時間区切りおよび２つのミニスロットの間の周波数区切りのうちの１つまたは両方に基づいてアグリゲートされたミニスロットのセットのうちの２つのミニスロットの間で基準信号パターンを共有するかどうか決定するための処理、特徴、手段、または命令をさらに含み得る。
【００３４】
[0034]上述された方法、装置、および非一時的コンピュータ可読媒体のいくつかの例では、アグリゲートされたミニスロットのセットのうちの複数のミニスロットは、連続的であり得、同じリソース割り振りを有し得る。
【００３５】
[0035]上述された方法、装置、および非一時的コンピュータ可読媒体のいくつかの例はさらに、単一許可メッセージに少なくとも部分的に基づき得る少なくとも１つのデータペイロードを割り振るための処理、特徴、手段、または命令を含み得る。
【００３６】
[0036]上で説明される方法、装置、および非一時的コンピュータ可読媒体のいくつかの例では、基準信号パターンは、アグリゲートされたミニスロットのセットのうちの複数のミニスロットの間で共有され得る。
【００３７】
[0037]上述された方法、装置、および非一時的コンピュータ可読媒体のいくつかの例はさらに、単一許可メッセージに少なくとも部分的に基づいて、アグリゲートされたミニスロットのセットのうちの複数のミニスロットに共通の１つまたは複数のスケジューリングパラメータを決定するための処理、特徴、手段、または命令をさらに含み得、基準信号パターンは、１つまたは複数のスケジューリングパラメータに少なくとも部分的に基づき得る。
【００３８】
[0038]上で説明される方法、装置、および非一時的コンピュータ可読媒体のいくつかの例では、少なくとも１つのデータペイロードを割り振ること、または基準信号構成の決定は、アグリゲートされたミニスロットの各ミニスロットのためのＭＣＳに少なくとも部分的に基づき得る。
【００３９】
[0039]上述された方法、装置、および非一時的コンピュータ可読媒体のいくつかの例では、第１のミニスロットのためのＭＣＳは、第２のミニスロットのためのＭＣＳと異なり得る。
【００４０】
[0040]上述された方法、装置、および非一時的コンピュータ可読媒体のいくつかの例はさらに、周波数第１のマッピングスキームまたは時間第１のマッピングスキームに少なくとも部分的に基づいてアグリゲートされたミニスロットのセットを符号化するための処理、特徴、手段、または命令をさらに含み得、１つまたは複数の基準信号および少なくとも１つのデータペイロードの送信は、符号化に少なくとも部分的に基づき得る。
【００４１】
[0041]上述された方法、装置、および非一時的コンピュータ可読媒体のいくつかの例はさらに、それぞれの許可メッセージを介して、または単一許可メッセージを介してアグリゲートされたミニスロットのセット各々をスケジューリングするための処理、特徴、手段、または命令を含み得る。
【００４２】
[0042]上で説明される方法、装置、および非一時的コンピュータ可読媒体のいくつかの例では、アグリゲートされたミニスロットのセットのうちの第１のミニスロットは、アグリゲートされたミニスロットのセットのうちの第２のミニスロットと異なる帯域幅を有し得る。
【００４３】
[0043]上で説明される方法、装置、および非一時的コンピュータ可読媒体のいくつかの例では、１つまたは複数の基準信号は、復調基準信号（ＤＭＲＳ）、位相トラッキング基準信号（ＰＴＲＳ）、時間トラッキング基準信号、または周波数トラッキング基準信号を備える。
【図面の簡単な説明】
【００４４】
【図１】本開示の態様にしたがって、基準信号設計をサポートするワイヤレス通信のためのシステムの例を例示する。
【図２】本開示の態様にしたがって、基準信号設計をサポートするワイヤレス通信システムの例を例示する。
【図３】本開示の態様にしたがって、基準信号設計をサポートするマッピングスキームの例を例示する。
【図４Ａ】本開示の態様にしたがって、基準信号設計をサポートする例となるマッピングスキームを例示する。
【図４Ｂ】本開示の態様にしたがって、基準信号設計をサポートする例となるマッピングスキームを例示する。
【図５Ａ】本開示の態様にしたがって、基準信号設計をサポートする例となるアグリゲーションスキームを例示する。
【図５Ｂ】本開示の態様にしたがって、基準信号設計をサポートする例となるアグリゲーションスキームを例示する。
【図６Ａ】本開示の態様にしたがって、例となる基準信号構成を例示する。
【図６Ｂ】本開示の態様にしたがって、例となる基準信号構成を例示する。
【図７】本開示の態様にしたがって、例となる基準信号構成を例示する。
【図８】本開示の態様にしたがって、処理フローの例を例示する。
【図９】本開示の態様にしたがって、デバイスのブロック図を示す。
【図１０】本開示の態様にしたがって、デバイスのブロック図を示す。
【図１１】本開示の態様にしたがって、デバイスのブロック図を示す。
【図１２】本開示の態様にしたがって、ユーザ機器（ＵＥ）を含むシステムのブロック図を例示する。
【図１３】本開示の態様にしたがって、基準信号設計のための方法を例示する。
【発明の詳細な説明】
【００４５】
[0055]ワイヤレス通信システムでは、時間分割多重（ＴＤＤ）は、通信の間のアップリンク、ダウンリンク、サイドリンク、またはスイッチングのいずれかのために時間スロットを割り振ることによって異なる通信のためにインプリメントされ得る。これは、利用可能な時間リソースおよび時間スロットのセットがアップリンクまたはダウンリンクのために割り振られるかどうかに基づいてアップリンクおよびダウンリンク通信のための非対称フローを可能にし得る。このようなケースでは、タイミング構造は、基地局とユーザ機器（ＵＥ）との間の同期を維持しデータ送信を管理するために使用され得る。
【００４６】
[0056]いくつかのケースでは、ミリメータ波（ｍｍＷ）スペクトル、または新規無線（ＮＲ）ネットワークの共有あるいは無免許スペクトル中で動作しているワイヤレス通信システムは、複数のタイミング間隔（例えば、スロット、ミニスロット、サブフレーム）にわたってデータ送信をスケジュールし得、これは、アグリゲーションと称され得る。例えば、スロットまたはサブフレーム未満のタイミング持続時間を持つミニスロットは、基地局とＵＥとの間の送信をスケジュールするために利用され得る。ミニスロットのセットがアグリゲートされる場合、データペイロードは、１つまたは複数のミニスロットに及ぶようにスケジュールされ得、それは、ミニスロットが時間において連続的であり得るまたはあり得ない。以下の例では、任意の他の用語が持続時間（例えば、送信時間間隔（ＴＴＩ）、スロット、サブフレーム）を示すために使用されるけれども、本開示のミニスロットへの言及は、本開示の範囲から逸脱することなく考慮され得る。
【００４７】
[0057]いくつかの例では、スロットは、多数のミニスロット（例えば、２、３、４）を含み、それの各々は、多数のシンボル（例えば、７、１４、２８）を含み得る。サブフレームは、時間における任意の持続時間に及んでいる多数のスロット（例えば、２、３、４、）を含み、時間期間、スロット、ミニスロット、ＴＴＩ、または時間間隔を説明するために使用される任意の他の用語と称され得る。スロット、ミニスロット、ＴＴＩ、等は、スケジューリングのユニットであり、時間境界を定義するために使用され得る。いくつかのケースでは、ミニスロットの１つまたは複数のシンボルは、スケジューリングの最小ユニットであり得、スロット、ミニスロット、ＴＴＩ、等は、ダウンリンク制御領域および／またはアップリンク制御領域を含み得る。例えば、複数のＴＴＩは、より小さなシンボル持続時間に分割されサブフレーム内の異なるロケーションで送信され得る複数のＴＴＩに対応するサブフレームおよび制御シンボル（例えば、ダウンリンク制御シンボルまたはアップリンク制御シンボル）に及び得る。アグリゲートされた時間間隔は、アグリゲートされたミニスロット、アグリゲートされたスロット、等、または同一のものの組み合わせを含み得る。したがって、および例として、ミニスロットのセットは、互いにアグリゲートされ得る、または１つまたは複数のスロットと共にアグリゲートされ得る。アグリゲートされたミニスロットへの本願の言及は、少なくとも１つのミニスロットがアグリゲーション中に含まれることを意味する。
【００４８】
[0058]基準信号（ＲＳ）は、チャネル品質を推定するために、復調における受信デバイスを支援するために、チャネル依存の（または周波数選択的な）アップリンクスケジューリングを許容するために、等のためにアップリンクおよびダウンリンク通信において使用され得る。ワイヤレス通信システム中で利用されるＲＳのいくつかの例は、サウンディングＲＳ（ＳＲＳ）、復調ＲＳ（ＤＭＲＳ）、ダウンリンクＲＳ（ＤＲＳ）、位相トラッキングＲＳ（ＰＴＲＳ）、位置ＲＳ（ＰＲＳ）、時間トラッキングＲＳ、周波数トラッキングＲＳ、等を含み得る。いくつかのケースでは、スロットまたはミニスロットアグリゲーションにおいて使用されるＤＭＲＳまたはＰＴＲＳのようなＲＳは、例えば、アグリゲートされたスロットあるいはミニスロットあるいは可変許可あるいは異なるミニスロットに帰するフラクショナル送信ブロックサイズの不連続性質に起因して、スロットスロット／ミニスロットアグリゲーションがない場合に使用されるこれらと異なり得る。
【００４９】
[0059]本開示の態様は、ワイヤレス通信システムのコンテキストにおいて最初に説明される。態様はまた、マッピングスキーム、アグリゲーション構造、およびミニスロット構造を通して説明される。本開示の態様はさらに、スロットアグリゲーションのための基準信号設計に関する装置図、システム図、およびフローチャートを参照して説明されるおよびそれらによって例示される。
【００５０】
[0060]図１は、本開示の様々な態様によるワイヤレス通信システム１００の例を例示する。ワイヤレス通信システム１００は、基地局１０５、ＵＥ１１５、およびコアネットワーク１３０を含む。いくつかの例では、ワイヤレス通信システム１００は、ロングタームエボリューション（ＬＴＥ）／ＬＴＥ−アドバンスト（ＬＴＥ−Ａ）ネットワーク、またはＮＲネットワークであり得る。いくつかのケースでは、ワイヤレス通信システム１００は、拡張されたブロードバンド通信、高信頼性（すなわち、ミッションクリティカルな）通信、低レイテンシ通信、および低コストおよび低い複雑性を用いた通信をサポートし得る。いくつかの態様では、ワイヤレス通信システム１００は、複数のミニスロットが互いにアグリゲートされ得るミニスロットアグリゲーションを採用し得る。このケースでは、ＲＳ構成は、複数のミニスロット間で共有され、複数のミニスロットの各々のための、変調コーディングスキーム（ＭＣＳ）、ランク、または送信ダイバーシティスキームに基づいて決定され得る。データペイロードは、アグリゲートされたミニスロットのセットのために一緒にスケジュールされ得る、またはミニスロットの各々のために別個にスケジュールされされ得る。アグリゲーションの他のタイプ（例えば、スロットアグリゲーション）は、本開示の範囲から逸脱することなく考慮され得る。
【００５１】
[0061]基地局１０５は、１つまたは複数の基地局アンテナを介してＵＥ１１５とワイヤレスに通信し得る。各基地局１０５は、それぞれの地理的なカバレッジエリア１１０のために通信カバレッジを提供し得る。ワイヤレス通信システム１００中に示される通信リンク１２５は、ＵＥ１１５から基地局１０５へのアップリンク送信、または基地局１０５からＵＥ１１５へのダウンリンク送信を含み得る。制御情報およびデータは、様々な技法に従って、アップリンクチャネルまたはダウンリンク上で多重化され得る。制御情報およびデータは、例えば、時分割多重化（ＴＤＭ）技法、周波数分割多重化（ＦＤＭ）技法、またはハイブリッドＴＤＭ−ＦＤＭ技法を使用して、ダウンリンクチャネル上で多重化され得る。いくつかの例では、ダウンリンクチャネルのＴＴＩの間に送信される制御情報は、カスケード方式で異なる制御領域間で（例えば、共通制御領域と、１つまたは複数のＵＥ固有制御領域との間で）分散され得る。
【００５２】
[0062]ＵＥ１１５は、ワイヤレス通信システム１００全体にわたって分散され得、各ＵＥ１１５は、固定またはモバイルであり得る。モバイルデバイス１１５はまた、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の適した専門用語としても称され得る。ＵＥ１１５はまた、セルラ電話、携帯情報端末（ＰＤＡ）、ワイヤレスモデム、、ワイヤレス通信デバイス、ハンドヘルドデバイス、タブレットコンピュータ、ラップトップコンピュータ、コードレス電話、パーソナル電子デバイス、ハンドヘルドデバイス、パーソナルコンピュータ、ワイヤレスローカルループ（ＷＬＬ）局、モノのインターネット（ＩｏＴ）デバイス、全てのインターネット（ＩｏＥ）デバイス、マシンタイプ通信（ＭＴＣ）デバイス、電気器具、自動車、または同様のものであり得る。
【００５３】
[0063]いくつかのケースでは、ＵＥ１１５はまた、（例えば、ピアツーピア（Ｐ２Ｐ）またはデバイスツーデバイス（Ｄ２Ｄ）プロトコルを使用して）他のＵＥと直接通信することも可能であり得る。Ｄ２Ｄ通信を利用するＵＥ１１５のグループのうちの１つまたは複数は、セルのカバレッジエリア１１０内にあり得る。このようなグループにおける他のＵＥ１１５は、セルのカバレッジエリア１１０の外部にあり得るか、または他の理由で、基地局１０５からの送信を受信することができない。いくつかのケースでは、Ｄ２Ｄ通信を介して通信するＵＥ１１５の複数のグループは、各ＵＥ１１５がグループにおけるその他全ての（every other）ＵＥ１１５に送信する、一対多（one-to-many）（１：Ｍ）システムを利用し得る。いくつかのケースでは、基地局１０５は、Ｄ２Ｄ通信のためのリソースのスケジューリングを容易にする。他のケースでは、Ｄ２Ｄ通信は、基地局１０５に非依存で行われる。
【００５４】
[0064]ＭＴＣまたはＩｏＴデバイスなどの、いくつかのＵＥ１１５は、低コストまたは低複雑度のデバイスであり得、マシン間の自動化された通信、すなわち、マシンツーマシン（Ｍ２Ｍ）通信を提供し得る。Ｍ２ＭまたはＭＴＣは、デバイスが、人間の介在なしに互いまたは基地局と通信することを可能にするデータ通信技術を指し得る。例えば、Ｍ２ＭまたはＭＴＣは、情報を測定またはキャプチャするためのセンサまたはメータを統合し、その情報を使用すること、またはプログラムまたはアプリケーションと相互作用している人間にその情報を提示することができるアプリケーションプログラムまたは中央サーバにその情報を中継するデバイスからの通信を指し得る。いくつかのＵＥ１１５は、情報を収集するか、または機械の自動化された挙動を可能にするように設計され得る。ＭＴＣデバイスのためのアプリケーションの例は、スマート計測、在庫（inventory）モニタリング、水位モニタリング、機器モニタリング、ヘルスケアモニタリング、野生生物モニタリング、天候および地質学的イベントモニタリング、保有車両（fleet）管理および追跡、リモートセキュリティ感知、物理アクセス制御、および取引ベースのビジネス課金（transaction-based business charging）を含む。
【００５５】
[0065]いくつかのケースでは、ＭＴＣデバイスは、低減されたピークレートでの半二重（一方向）通信を使用して動作し得る。ＭＴＣデバイスはまた、アクティブな通信に従事していないときに節電「ディープスリープ」モードに入るように構成され得る。いくつかのケースでは、ＭＴＣまたはＩｏＴデバイスは、ミッションクリティカル機能をサポートするように設計され得、ワイヤレス通信システムは、これらの機能のために超高信頼性通信を提供するように構成され得る。
【００５６】
[0066]基地局１０５は、コアネットワーク１３０と、および互いに通信し得る。例えば、基地局１０５は、バックホールリンク１３２（例えば、Ｓ１）を通じてコアネットワーク１３０とインターフェースし得る。基地局１０５は、（例えば、コアネットワーク１３０を通じて）直接的にまたは間接的にのいずれかで、バックホールリンク１３４（例えば、Ｘ２）を介して互いに通信し得る。基地局１０５は、ＵＥ１１５との通信のために無線構成およびスケジューリングを実行し得るか、または基地局コントローラ（図示せず）の制御下で動作し得る。様々な例では、基地局１０５は、マクロセル、スモールセル、ホットスポット、等であり得る。基地局１０５はまた、発展型ノードＢ（ｅＮＢ）１０５と呼ばれ得る。
【００５７】
[0067]基地局１０５は、コアネットワーク１３０にＳ１インターフェースによって接続され得る。コアネットワークは、発展型パケットコア（ＥＰＣ）であり得、これは、少なくとも１つのモビリティ管理エンティティ（ＭＭＥ）、少なくとも１つのサービングゲートウェイ（Ｓ−ＧＷ）、および少なくとも１つのパケットデータネットワーク（ＰＤＮ）ゲートウェイ（Ｐ−ＧＷ）を含み得る。ＭＭＥは、ＵＥ１１５とＥＰＣの間のシグナリングを処理する制御ノードであり得る。全てのユーザインターネットプロトコル（ＩＰ）パケットは、Ｓ−ＧＷを通じて転送され得、これは、それ自体がＰ−ＧＷに接続され得る。Ｐ−ＧＷは、ＩＰアドレス割振りならびに他の機能を提供し得る。Ｐ−ＧＷは、ネットワークオペレータＩＰサービスに接続され得る。オペレータＩＰサービスは、インターネット、イントラネット、ＩＰマルチメディアサブシステム（ＩＭＳ）、およびパケット交換（ＰＳ）ストリーミングサービスを含み得る。
【００５８】
[0068]コアネットワーク１３０は、ユーザ認証、アクセス許可、トラッキング、インターネットプロトコル（ＩＰ）接続性、および他のアクセス、ルーティング、またはモビリティ機能を提供し得る。基地局１０５などのネットワークデバイスのうちの少なくともいくつかは、アクセスネットワークエンティティなどのサブコンポーネントを含み得、これは、アクセスノードコントローラ（ＡＮＣ）の例であり得る。各アクセスネットワークエンティティは、その各々がスマート無線ヘッド（smart radio head）の例であり得るいくつかの他のアクセスネットワーク送信エンティティ、または送信／受信ポイント（ＴＲＰ）を通じて、いくつかのＵＥ１１５と通信し得る。いくつかの構成では、各アクセスネットワークエンティティまたは基地局１０５の様々な機能は、様々なネットワークデバイス（例えば、ＲＨおよびアクセスネットワークコントローラ（ＡＮＣ））にわたって分散されるか、または単一のネットワークデバイス（例えば、基地局１０５）に統合され得る。
【００５９】
[0069]いくつかのネットワーク（例えば、ワイヤレスローカルエリアネットワーク（ＷＬＡＮ））は、４ＧＨｚもの高さの周波数を使用し得るが、ワイヤレス通信システム１００は、７００ＭＨｚから２６００ＭＨｚ（２．６ＧＨｚ）までの周波数帯域を使用して、極超短波（ＵＨＦ）周波数領域で動作し得る。この領域はまた、波長の長さがおよそ１デシメートル〜１メートルの範囲にあるので、デシメートル帯域としても知られ得る。ＵＨＦ波は、主に見通し線によって伝搬し得、建物および環境特徴によって遮られる場合がある。しかしながら、波は、屋内に位置するＵＥ１１５にサービスを提供するのに十分に壁を透過し得る。ＵＨＦ波の送信は、スペクトルの短波（ＨＦ）または超短波（ＶＨＦ）部分のより小さい周波数（およびより長い波）を使用する送信と比較して、より小さいアンテナおよびより短いレンジ（例えば、１００ｋｍ未満）によって特徴付けられる。いくつかのケースでは、ワイヤレス通信システム１００はまた、スペクトルのミリメートル波（ＥＨＦ：extremely high frequency）部分（例えば、３０ＧＨｚ〜３００ＧＨｚ）を利用し得る。この領域はまた、波長の長さがおよそ１ミリメートル〜１センチメートルの範囲にあるので、ミリ波帯域としても知られ得る。したがって、ＥＨＦアンテナは、ＵＨＦアンテナよりもさらに小さく、より狭い間隔で配置され得る。いくつかのケースでは、これは、（例えば、指向性ビームフォーミングのための）ＵＥ１１５内のアンテナアレイの使用を容易にし得る。しかしながら、ＥＨＦ送信は、ＵＨＦ送信よりもさらに大きい大気減衰を受けることがあり、より短いレンジであり得る。
【００６０】
[0070]したがって、ワイヤレス通信システム１００は、ＵＥ１１５と基地局１０５との間のミリ波（ｍｍＷ）通信をサポートし得る。ｍｍＷまたはＥＨＦ帯域で動作するデバイスは、ビームフォーミングを可能にするために複数のアンテナを有し得る。すなわち、基地局１０５は、ＵＥ１１５との指向性通信のためのビームフォーミング動作を実施するために、複数のアンテナまたはアンテナアレイを使用し得る。ビームフォーミング（これは、空間フィルタリングまたは指向性送信とも呼ばれ得る）は、ターゲット受信機（例えば、ＵＥ１１５）の方向にアンテナビーム全体をステアリングするまたはシェーピングするために、送信機（例えば、基地局１０５）において使用され得る信号処理技法である。これは、特定の角度における送信された信号が強め合う干渉を経験する一方で、他のものが弱め合う干渉を経験するように、アンテナアレイにおける要素を組み合わせることによって達成され得る。
【００６１】
[0071]多入力多出力（ＭＩＭＯ）ワイヤレスシステムは、送信機（例えば、基地局１０５）と受信機（例えば、ＵＥ１１５）との間の送信スキームを使用する、ここで、送信機および受信機の両方は、複数のアンテナを備えている。ワイヤレス通信システム１００のいくつかの部分は、ビームフォーミングを使用し得る。例えば、基地局１０５は、基地局１０５がＵＥ１１５とその通信においてビームフォーミングのために使用するアンテナポートの多数の行および列を持つアンテナアレイを有し得る。信号は、異なる方法に複数回送信され得る（例えば、各送信が異なってビームフォーミングされ得る）。ｍｍＷ受信機（例えば、ＵＥ１１５）は、同期信号を受信している間に、複数のビーム（例えば、アンテナサブアレイ）を試し得る。
【００６２】
[0072]いくつかのケースでは、基地局１０５またはＵＥ１１５のアンテナは、１つまたは複数のアンテナアレイ中に位置付けられ得、それは、ビームフォーミングまたはＭＩＭＯ動作をサポートし得る。１つまたは複数の基地局アンテナまたはアンテナアレイは、アンテナタワーのような、アンテナアセンブリとコロケートされ得る。いくつかのケースでは、基地局１０５に関連付けられたアンテナまたはアンテナアレイは、異なる地理的ロケーションに位置付けられ得る。基地局１０５は、ＵＥ１１５との指向性通信のためのビームフォーミング動作を実施するために、複数のアンテナまたはアンテナアレイを使用し得る。
【００６３】
[0073]いくつかのケースでは、ワイヤレス通信システム１００は、レイヤ化されたプロトコルスタックに従って動作するパケットベースのネットワークであり得る。ユーザプレーンでは、ベアラまたはパケットデータコンバージェンスプロトコル（ＰＤＣＰ）レイヤにおける通信は、ＩＰベースであり得る。無線リンク制御（ＲＬＣ）レイヤは、いくつかのケースでは、論理チャネル上で通信するために、パケットセグメンテーションおよびリアセンブリを実行し得る。媒体アクセス制御（ＭＡＣ）レイヤは、優先処理（priority handling）、およびトランスポートチャネルへの論理チャネルの多重化を実行し得る。ＭＡＣレイヤはまた、リンク効率を改善するためのＭＡＣレイヤでの再送信を提供するために、ハイブリッドＡＲＱ（ＨＡＲＱ）を使用し得る。制御プレーンでは、無線リソース制御（ＲＲＣ）プロトコルレイヤは、ユーザプレーンデータのための無線ベアラをサポートするコアネットワーク１３０、ネットワークデバイス１０５−ｂまたはネットワークデバイス１０５−ｃとＵＥ１１５との間のＲＲＣ接続の確立、構成、および管理を提供し得る。物理（ＰＨＹ）レイヤにおいて、トランスポートチャネルは、物理チャネルにマッピングされ得る。
【００６４】
[0074]共有無線周波数スペクトル帯域は、ＮＲ共有スペクトルシステムにおいて利用され得る。例えば、ＮＲ共有スペクトルは、ライセンススペクトル、共有スペクトル、およびアンライセンススペクトル、等の任意の組み合わせを利用し得る。サブキャリア間隔および強化されたコンポーネントキャリア（ｅＣＣ）シンボル持続時間のフレキシビリティは、複数のスペクトルにわたるｅＣＣの使用のために許容され得る。いくつかの例では、特に、リソースの動的垂直（例えば、周波数にわたる）共有および水平（例えば、時間にわたる）共有を通して、ＮＲ共有スペクトルは、スペクトル利用及びスペクトル効率を増加させ得る。
【００６５】
[0075]  いくつかのケースでは、ワイヤレス通信システム１００は、ライセンスおよびアンライセンス無線周波数スペクトル帯域の両方を利用し得る。例えば、ワイヤレスシステム１００は、ＬＴＥのライセンス補助アクセス（ＬＴＥ−ＬＡＡ）、またはＬＴＥアンライセンス（ＬＴＥ  Ｕ）無線アクセス技術、または５ＧＨｚの産業用、化学（Ｓｃｉｅｎｔｉｆｉｃ）用、および医療用（ＩＳＭ：Industrial, Scientific, and Medical）帯域のような、アンライセンス帯域においてＮＲ技術を用い得る。アンライセンス無線周波数帯域で動作しているとき、基地局１０５およびＵＥ１１５のようなワイヤレスデバイスは、データを送信する前にチャネルがクリアであることを保証するためのリッスンビフォアトーク（ＬＢＴ）プロシージャを利用し得る。いくつかのケースでは、アンライセンス帯域での動作は、ライセンス帯域中で動作するＣＣとともに、ＣＡに基づき得る。アンライセンススペクトルでの動作は、ダウンリンク送信、アップリンク送信、または両方を含み得る。アンライセンススペクトルでの複信は、周波数分割複信（ＦＤＤ）、時分割複信（ＦＤＤ）、または両方の組み合わせに基づき得る。
【００６６】
[0076]図２は、本開示の様々な態様によるＲＳ設計をサポートするワイヤレス通信システム２００の例を例示する。いくつかの例では、ワイヤレス通信システム２００は、ワイヤレス通信システム１００の態様をインプリメントし得る。ワイヤレス通信システム２００は、（例えば、ＮＲネットワークの）ｍｍＷスペクトルあるいは共有またはアンライセンススペクトルにおいて動作し得る。
【００６７】
[0077]ワイヤレス通信システム２００は、ＵＥ１１５−ａおよび基地局１０５−ａを含み得、それらは、図１を参照して説明されたＵＥ１１５または基地局１０５の例であり得る。基地局１０５−ａおよびＵＥ１１５−ａは、通信リンク２０５を通してメッセージを送受信し得、それは、ＴＤＤをインプリメントし得、１つまたは複数のアグリゲートされたミニスロット（例えば、アグリゲートされたミニスロット２１０）を利用し得る。アグリゲートされたミニスロット２１０は、複数のミニスロット２１５（例えば、ミニスロット２１５−ａ、ミニスロット２１５−ｂ、ミニスロット２１５−ｃ、およびミニスロット２１５−ｄ）に分割され得る。いくつかのケースでは、ミニスロット２１５の各々は、１つまたは複数の基準信号、データペイロード、またはそれらの組合せを搬送し得る。
【００６８】
[0078]いくつかのケースでは、ワイヤレス通信システム２００は、それらのミニスロットのうちの１つまたは複数を通してデータ送信をスケジュールし得る。いくつかのケースでは、アグリゲートされたミニスロット２１０内で、ミニスロット２１５の各々は、時間において同じ長さに及び得るおよび／または同じ帯域幅割り振りを有し得る。さらに、ミニスロット２１５は、時間において連続であり得る又は連続であり得ない。
【００６９】
[0079]ミニスロットアグリゲーションを用いるワイヤレス通信システム２００において送信されたＲＳの構成（例えば、ＤＭＲＳ、ＰＴＲＳ、時間トラッキングＲＳ、周波数トラッキングＲＳ）は、（例えば、異なるミニスロット２１５に帰するフラクショナル送信ブロックサイズ（ＴＢＳ）、変化する許可、ミニスロット２１５の不連続性質に起因して）ミニスロットアグリゲーションを除外して使用される構成と異なり得る。ミニスロットアグリゲーションのためのＲＳ送信の第１の例の展開スキームでは、送信の持続時間（例えば、ＴＴＩ）は、ミニスロット２１５（例えば、ミニスロット２１５−ａ、ミニスロット２１５−ｂ、またはミニスロット２１５−ｃ、または、ミニスロット２１５−ｄ、あるいはこれらの組み合わせ）のアグリゲーションによって拡張され得る。いくつかの態様では、所与の帯域幅割り振りについて、より長いまたは拡張されたＴＴＩは、改良された周波数ダイバーシティのために利用され得る。
【００７０】
[0080]ミニスロットアグリゲーションはまた、アップリンクおよびダウンリンクスイッチング時間またはビームスイッチングに関連付けられたオーバーヘッドを低減するのに役立ち得る。例えば、アップリンクおよびダウンリンク送信の衝突または重複を防ぐために、ガードインターバルは、２つを区切るために利用され得る。アグリゲートされたミニスロット２１０への２つ以上のミニスロット２１５（例えば、ミニスロット２１５−ａ、ミニスロット２１５−ｂ、ミニスロット２１５−ｃ、およびミニスロット２１５−ｄ）のアグリゲーションによるＴＴＩの拡張は、ガードインターバルのインスタンスを低減するために役立ち、したがって、オーバーヘッドを最適化する。いくつかのケースでは、データプリコーディングまたはビーム方向は、異なるミニスロット２１５にわたって異なり得、ミニスロット２１５にわたって共有するＲＳが全くない。このようなケースでは、ミニスロット２１５の各々のためのＤＭＲＳまたはＰＴＲＳのようなＲＳのための設計は、同じである、または非アグリゲートされるケースと同様の構造に従い得る。
【００７１】
[0081]いくつかの例では、データペイロードおよび変調シンボルは、１つまたは複数のミニスロット２１５を通してマップされ得る。ＭＣＳのランクおよび変調次数は、１つまたは複数のミニスロット２１５（例えば、ミニスロット２１５−ａおよびミニスロット２１５−ｂ）およびリソースブロック（ＲＢ）割り振りによって異なり、ビームパラメータ（例えば、ビーム幅、ビーム方向、等）、または波形は、ミニスロット２１５にわたって同じまたは異なり得る。いくつかのケースでは、非アグリゲートされたミニスロット２１５のためのＲＳの密度またはパターンは、ＭＣＳ、波形、等のようなルールまたは１つまたは複数のファクタに基づき得る。ＲＳパターンまたは密度は、各個別のミニスロット２１５（例えば、ミニスロット２１５−ａ、ミニスロット２１５−ｂ、ミニスロット２１５−ｃ、およびミニスロット２１５−ｄ）のためのランクまたは変調次数に部分的に基づき得る。このようなケースでは、ミニスロット２１５の各々のためのランクまたは変調次数は、その個別のミニスロット２１５において送信されるべきＲＳのための密度またはパターンを取得するために利用され得る。
【００７２】
[0082]いくつかの態様に従って、ＲＳのための密度またはパターンは、ＴＢＳ、スペクトル効率、ＴＢＳとリソース要素（ＲＥ）の数に対する比に部分的に基づき得る。このようなケースでは、アグリゲートされたミニスロット２１０を備えるミニスロット２１５の各々について、ミニスロット２１５におけるＲＥの数に対する個別のミニスロット２１５（例えば、ミニスロット２１５−ａ、ミニスロット２１５−ｂ、ミニスロット２１５−ｃ、およびミニスロット２１５−ｄ）中で搬送されるデータペイロードの一部を表わすフラクショナルＴＢＳが導出され得る。いくつかのケースでは、フラクショナルＴＢＳは、異なるミニスロット２１５によって異なり得、ミニスロット２１５のための、ＲＥの数、変調次数、ランクデータペイロード、等を考慮し（account for）得る。さらに、いくつかのケースでは、各ミニスロット２１５のためのスペクトル効率は、ミニスロット２１５におけるＲＥの数で個別のミニスロット２１５のＴＢＳまたはフラクショナルＴＢＳを割ることによって計算または推定され得る。このようなケースでは、ミニスロット２１５におけるＲＳのための密度またはパターンはその後、そのミニスロット２１５のために推定されたスペクトル効率を使用してマップされ得る。
【００７３】
[0083]いくつかのケースでは、ミニスロット２１５を存在させる（populating）ための準備が出来ている変調シンボルは、ミニスロット２１５のために割り振られたＲＥにマップされ得る。いくつかの例では、変調シンボルのうちの１つまたは複数は、別のＲＳと重複し得る。変調マッピングの間の重複を考慮するために、ミニスロット２１５を存在させる変調されたシンボルのサブセットは、例えば、アップリンク上のサウンディングＲＳ（ＳＲＳ）またはチャネル状態情報ＲＳ（ＣＳＩ−ＲＳ）のような別のＲＳによって置き換えられ得る。本技法は、パンクチャリングと称され得、ＲＥは、パンクチャされたＲＥと称され得る。いくつかの別のケースでは、変調マッピングは、レートマッチングを包含し得る。このようなケースでは、変調されたシンボルは、異なるチャネルに割り振られたＲＥをトラッキングまたは識別する間、ＲＥ上に、時間第１の手法または周波数第１の手法において存在し得る。別のチャネルまたはＲＳに割り振られたＲＥの識別に続いて、変調されたシンボルは、そのＲＳ上にマップされ得ない。いくつかの例では、異なるミニスロット２１５は、ＣＳＩ−ＲＳまたはＳＲＳのような他のＲＳによって重複するまたはパンクチャリングの異なるレベルを有し得る。このようなケースでは、パンクチャされたＲＥは、フラクショナルＴＢＳまたはスペクトル効率を推定または計算するために使用されるＲＥのカウントから除外され得るまたは除外され得ない。いくつかのケースでは、ＲＥのカウントを更新または変えるとの決定は、非ミニスロットアグリゲーションのための技法または変調マッピングがパンクチャリングまたはレートマッチングを包含するかどうかに部分的に基づき得る。
【００７４】
[0084]別の例の展開スキームでは、ＲＳは、アグリゲートされたミニスロット２１０にわたって共有され得る。いくつかのケースでは、それ自身独立してスケジュールされたデータペイロードを搬送し得る。さらに、独立してスケジュールされたデータペイロードの各々の組み合わせを備え得る、アグリゲートされたミニスロット２１０は、複数のスロットを通して繰り返され得る。いくつかのケースでは、アグリゲートされたミニスロット２１０にわたって共有するＲＳは、アグリゲートされたミニスロット２１０を構成するミニスロット２１５の間の周波数または時間リソース、ビームパラメータ、あるいはプレコーティングにわたって単一または連続性のレベルを包含し得るが、異なるミニスロット２１５は、同じ波形または異なる波形を使用し得る。例えば、アグリゲートされたミニスロット２１０からのミニスロット２１５の第１のサブセット（例えば、ミニスロット２１５−ａおよびミニスロット２１５−ｃ）は、サイクリックプレフィックス直交周波数分割多重（ＣＰ−ＯＦＤＭ）波形を使用する一方、ミニスロット２１５の第２のサブセット（例えば、ミニスロット２１５−ｂおよびミニスロット２１５−ｄ）は、離散フーリエ変換−拡散−ＯＦＤＭ（ＤＦＴ−ｓ−ＯＦＤＭ）を使用し得る。いくつかの例では、チャネル推定器の複雑さは、ミニスロット２１５にわたって同じ波形を使用することによって最適化され得る。
【００７５】
[0085]いくつかのケースでは、ダウンリンク制御チャネル（例えば、物理ダウンリンク制御チャネル（ＰＤＣＣＨ）におけるダウンリンク制御情報（ＤＣＩ）を介してミニスロット２１５をスケジュールすることは、（アグリゲートされたミニスロット２１０を構成することと、）ミニスロット２１５に共通する１つまたは複数のフィールドをスキップすることまたは短縮することを許容し得る。例えば、ＤＣＩフィールドは、波形、ＲＢ割り振り、ランク、ＭＣＳ、等に付随している情報を搬送し得る。いくつかの例では、ミニスロット２１５は、ＲＢ割り振り、周波数、ランク、等のような共通スケジューリングパラメータを有し得る。いくつかのケースでは、ミニスロット２１５に共通する１つまたは複数のフィールドをスキップすることは、ダウンリンクリソースの利用を最適化するのに役立ち得る。したがって、いくつかのケースでは、ミニスロット２１５をスケジュールするために使用される１つまたは複数のＤＣＩの間の１つのＤＣＩは、共通スケジューリングパラメータに付随している情報を搬送し得る。いくつかの態様では、ＤＣＩの残りは、共通スケジューリングパラメータに付随している搬送情報またはフィールドをスキップする、または情報の一部のみを搬送し得る。この例では、ダウンリンク制御チャネルは、ＤＣＩを指し示すインジケータまたは共通情報を搬送するアップリンク許可を備え得る。共通情報を搬送するアップリンク許可またはＤＣＩがいないまたは脱落する場合、後続の許可は、処理することができ得ない。このようなケースでは、ミニスロット２１５の各々は、単一アップリンク許可を介してスケジュールされ、複数のミニスロット２１５の間のミニスロット２１５をスケジュールするために使用される各ＤＣＩは、共通スケジューリングパラメータを搬送し得る。
【００７６】
[0086]いくつかのケースでは、ミニスロット２１５のためのＲＳ設計は、アグリゲートされたミニスロット２１０またはＴＴＩのための適切なＲＳパターンまたは密度を包含し得る。いくつかのケースでは、非アグリゲートされたミニスロット２１５について、ＲＳ割り振りは、ＤＣＩ中で示され得る。さらに、ＲＳの割り振りは、ランク、波形、ＭＣＳ、等のような１つまたは複数のパラメータに明示的にまたは暗黙的に基づき得る。いくつかのケースでは、同様のスキームは、ミニスロット２１５のアグリゲートされたセット（またはアグリゲートされたミニスロット２１０）に適用され得る。例えば、アグリゲートされたミニスロット２１０を構成しているミニスロット２１５のケースにおける暗黙のＲＳ選択は、ミニスロット２１５の間の時間または周波数区切りを示す追加のパラメータに加えて、（非アグリゲートのケースと同様に）個別のミニスロット２１５の各々のためのスケジューリングパラメータのインジケーションを包含し得る。
【００７７】
[0087]別の例の展開スキームでは、ＲＳは、アグリゲートされたミニスロット２１０にわたるデータペイロードの結合スケジューリングと共にアグリゲートされたミニスロット２１０にわたって共有され得る。例えば、いくつかのケースでは、単一許可からのデータペイロードは、符号化され、変調シンボルは、アグリゲートされたミニスロット２１０にわたってマップされ得る。いくつかのケースでは、ＲＳの選択を決定するために使用され得る、スケジューリングパラメータのうちの１つまたは複数は、アグリゲートされたミニスロット２１０にわたって広がるデータペイロードおよび単一許可に起因してミニスロット２１５にわたって同じであり得る。いくつかのケースでは、これは、ＲＳ選択処理を最適化するのに役立ち得る。いくつかの他のケースでは、スケジューリングパラメータ（例えば、ランクまたは変調次数）のうちの１つまたは複数は、１つのミニスロット２１５と次とで異なり得る。
【００７８】
[0088]図３は、本開示の様々な態様によるＲＳ設計をサポートするマッピングスキーム３００の例を例示する。いくつかの例では、マッピングスキーム３００は、図１および図２を参照して説明されるように、ワイヤレス通信システム１００または２００によってインプリメントされ得る。マッピングスキーム３００は、アグリゲートされたミニスロット３０５を利用し、それは、図２を参照して説明されたアグリゲートされたミニスロット２１０の例であり得る。アグリゲートされたミニスロット３０５は、各々が１つまたは複数ＲＳ、データペイロード、またはそれらの組み合わせを搬送する、別個のミニスロット３２０（例えば、ミニスロット３２０−ａ、ミニスロット３２０−ｂ、およびミニスロット３２０−ｃ）に分割され得る。さらに、ミニスロット３２０の各々は、１つまたは複数の時間インクリメント３１０（例えば、シンボル）および１つまたは複数の周波数インクリメント３１５（例えば、サブキャリア）によって指定された時間および周波数リソースを含み、それは、時間周波数グリッドとして表わされ得る。（例えば、採用されるワイヤレスシステムのタイプに依存して）時間および周波数の他のインクリメントが使用され得、アグリゲートされたミニスロット３０５内で、これらのミニスロット３２０の各々が同じまたは異なる時間持続時間あるいは周波数帯域幅に及び得ることを理解すべきである。いくつかのケースでは、ミニスロット３２０は、時間において連続であり得る又は連続であり得ない。
【００７９】
[0089]いくつかの例では、ＵＥまたは基地局のような送信デバイスは、ある領域またはミニスロット３２０（例えば、ミニスロット３２０−ａ、またはミニスロット３２０−ｂ、またはミニスロット３２０−ｃ）が他より前に送信または受信されるような、アグリゲートされたミニスロット３０５をインターリーブし得るまたはさもなければ存在させ得る。各ミニスロット３２０では、変調シンボルは、周波数第１のスキームを使用して存在し得、それは、ＲＳおよびデータのシンボルがミニスロット３２０内で時間および周波数リソースにわたってどのように分散されるまたはグループ化されるかを示す。このマッピングは、変調されたデータが受信されるまたは復号される順序に影響を及ぼす。例示されるように、周波数第１のスキームでは、シンボルは、他の時間リソースが存在する前に所与の時間インクリメント３１０のための周波数次元に従って配置され得る。いくつかのケースでは、周波数第１のマッピングは、所与の時間インクリメント３１０のためのおよび情報の特定のタイプ（例えば、制御情報、データ、またはＲＳ）を持つ周波数リソースの連続的な帯域を存在させることを含む。周波数第１のポピュレーション（population）またはマッピングは、次のミニスロット３２０（例えば、ミニスロット３２０−ｂ）に進む前に全体のミニスロット３２０（例えば、ミニスロット３２０−ａ）に存在させることを包含し得る。例えば、変調シンボルは、方向Ａ（第１の時間インクリメント）、続いて方向Ｂ（第２の時間インクリメント）、および方向Ｘ（ミニスロット３２０−ｃのための最後の時間インクリメント）まで等における存在する周波数第１のものであり得る。
【００８０】
[0090]図４Ａおよび図４Ｂは、本開示の様々な態様にしたがってＲＳ設計をサポートする例となるマッピングスキーム４０１および４０２を例示する。いくつかの例では、マッピングスキーム４０１および４０２は、図１および図２で参照して説明されるような、ワイヤレス通信システム１００または２００の態様をインプリメントし得る。
【００８１】
[0091]図４Ａに示されるように、マッピングスキーム４０１は、アグリゲートされたミニスロット４０５−ａを包含し得、それは、図２を参照して説明されたアグリゲートされたミニスロット２１０の例であり得る。アグリゲートされたミニスロット４０５−ａは、各々が１つまたは複数ＲＳ、データペイロード、またはそれらの組み合わせを搬送する、別個のミニスロット４２０（例えば、ミニスロット４２０−ａ、ミニスロット４２０−ｂ、およびミニスロット４２０−ｃ）に分割され得る。さらに、ミニスロット４２０の各々は、１つまたは複数の時間インクリメント４１０−ａ（例えば、シンボル）および１つまたは複数の周波数インクリメント４１５−ａ（例えば、サブキャリア）のような時間および周波数リソースを含み得、それは、時間周波数グリッドとして表わされ得る。時間および周波数の他のインクリメントが（例えば、採用されるワイヤレスシステムのタイプに依存して）使用され得ることを理解すべきである。これらのミニスロット４２０の時間および周波数割り振りにおける長さは、同じまたは異なる時間持続時間または周波数帯域幅のものであり得る。いくつかのケースでは、ミニスロット４２０は、時間において連続であり得る又は連続であり得ない。
【００８２】
[0092]いくつかのケースでは、ＵＥまたは基地局のような送信デバイスは、ある領域またはミニスロット４２０（例えば、ミニスロット４２０−ａ、またはミニスロット４２０−ｂ、またはミニスロット４２０−ｃ）が他より前に送信または受信されるような、アグリゲートされたミニスロット４０５−ａをインターリーブし得るまたはさもなければ存在させ得る。各ミニスロット４２０では、シンボルは、時間第１のスキームを使用して存在し得、それは、ＲＳおよびデータのシンボルがミニスロット４２０内で時間および周波数リソースにわたってどのように分散されるまたはグループ化されるかを参照する。マッピングスキームのタイプは、これらのシンボルが受信されるまたは復号される順序に影響を及ぼし得る。例示されるように、時間第１のスキームでは、シンボルは、他の時間リソースが存在する前に所与の時間インクリメント４１５のための周波数次元に従って存在し得る。いくつかのケースでは、時間第１のポピュレーションは、所与の時間インクリメント４１５−ａ内で情報の特定のタイプ（例えば、制御情報、データ、またはＲＳ）を持つ時間リソースの連続的な帯域を存在させること（例えば、任意の時間インクリメント４１０−ａをスキップしないこと）を含み得る。さらに、いくつかのケースでは、時間第１のポピュレーションまたはマッピングは、ミニスロットにわたって逐次的に用いされ得、ここで、処理は、次のミニスロット４２０（例えば、４２０−ｂ）に進む前に全体のミニスロット４２０（例えば、ミニスロット４２０−ａ）を存在させることを包含し得る。例えば、変調シンボルは、方向Ａ、続いて方向Ｂ、Ｃ、Ｄ、Ｅ、方向Ｘまで等における存在する周波数第１の物であり得る。
【００８３】
[0093]図４Ｂに示されるように、マッピングスキーム４０２は、アグリゲートされたミニスロット４０５−ｂを包含し得、それは、図２を参照して説明されたアグリゲートされたミニスロット２１０の例であり得る。アグリゲートされたミニスロット４０５−ｂは、各々が１つまたは複数のＲＳ、データペイロード、またはそれらの組み合わせを搬送する、別個のミニスロット４２０（例えば、ミニスロット４２０−ｄ、ミニスロット４２０−ｅ、およびミニスロット４２０−ｆ）に分割され得る。さらに、ミニスロット４２０の各々は、１つまたは複数の時間インクリメント４１０−ｂ（例えば、シンボル）および１つまたは複数の周波数インクリメント４１５−ｂ（例えば、サブキャリア）のような時間および周波数リソースを含み、それは、時間周波数グリッドとして表わされ得る。時間および周波数の他のインクリメントが（例えば、採用されるワイヤレスシステムのタイプに依存して）使用され得ることを理解すべきである。これらのミニスロット４２０の周波数割り振りの幅および時間における長さは、同じまたは異なり得る。いくつかのケースでは、ミニスロット４２０は、時間において連続であり得る又は連続であり得ない。
【００８４】
[0094]図４Ｂの各ミニスロット４２０では、シンボルは、周波数第１のスキームの代わりに時間第１のスキームを使用して存在し得る。時間第１のポピュレーションは、ミニスロット４２０毎の所与の周波数インクリメント４１５−ｂ内で情報の特定のタイプ（例えば、制御情報、データ、またはＲＳ）を持つ時間リソースの連続的なセットに存在させることを含み得る。さらに、いくつかのケースでは、時間第１のポピュレーションまたはマッピングは、第２の周波数インクリメント４１５−ｂに進む前に、第１の周波数インクリメントのためのすべてのミニスロット４２０（例えば、ミニスロット４２０−ａ、４２０−ｂ、および４２０−ｃ）にわたって存在させることを包含し得る。このプロセスは、すべての周波数インクリメントにわたる時間第１およびすべての周波数インクリメントにわたって逐次的に繰り返され得る。例えば、示されるように、変調シンボルは、方向Ａ、続いて方向Ｂ、および等方向Ｘまでにおける存在する周波数第１のものであり得る。
【００８５】
[0095]周波数第１のスキーム（図３）および時間第１のスキーム（図４Ａおよび図４Ｂ）の組み合わせがさらに使用され得ることにも注意されるべきである。例えば、ミニスロットは、逐次的に存在するサブグループに区分化され、異なるマッピングが各サブグループにおいて使用され得る。
【００８６】
[0096]図５Ａおよび図５Ｂは、本開示の様々な態様にしたがってＲＳ設計をサポートする例となるアグリゲーションスキーム５０１および５０２を例示する。いくつかの例では、アグリゲーションスキーム５０１および５０２は、図１および図２を参照して説明されたワイヤレス通信システム１００または２００の態様をインプリメントし得る。図５Ａのアグリゲーションスキーム５０１は、第１のミニスロット５０５−ａおよび第２のミニスロット５１０−ａを含み、これらは、図２、図３、図４Ａ、および図４Ｂを参照して説明された、ミニスロット２１５、３２０、および４２０の例であり得る。第１のミニスロット５０５−ａおよび第２のミニスロット５１０−ａは、１つまたは複数のＲＳ、データペイロード、またはこれらの組み合わせを各々搬送し得る。示されるように、第１のミニスロット５０５−ａおよび第２のミニスロット５１０−ａは、１つまたは複数のＤＭＲＳ５２０（例えば、ＤＭＲＳ５２０−ａおよびＤＭＲＳ５２０−ｂ）およびＰＴＲＳ５２５を各々搬送し得る。
【００８７】
[0097]本開示の態様に従って、第１のミニスロット５０５−ａおよび第２のミニスロット５１０−ａは、アグリゲートされたミニスロット５１５−ａを形成するためにアグリゲートされ得る。いくつかのケースでは、ＤＭＲＳ５２０−ａおよびＤＭＲＳ５２０−ｂは、同じであり、従って第１のミニスロット５０５−ａおよび第２のミニスロット５１０−ａの間で共通であり得る。ミニスロットアグリゲーションのためのＲＳ送信を最適化し冗長性を低減するために、アグリゲートされたミニスロット５１５−ａは、共通ＤＭＲＳの複製インスタンスを包含し得ず、代わりに、ＤＭＲＳ５２０−ａまたは５２０−ｂのうちの１つは、アグリゲートされたミニスロット５１５−ａにおいて送信され得ない。例えば、図５Ａに示されるように、ＤＭＲＳ５２０−ｂは、アグリゲートされた５１５−ａにおいて送信され得ず、ＤＭＲＳ５２０−ａは、非アグリゲートされたミニスロット５０５−ａなどで同じ時間および周波数リソースを占有し得る。ＤＭＲＳオーバーヘッドの低減をもたらすことは、アグリゲートされたミニスロット５１５−ａにおいて追加のデータを搬送することを許容し得る。
【００８８】
[0098]図６は、本開示の態様による、ミニスロットアグリゲーションのためのＲＳ設計をサポートするアグリゲーションスキーム５０２の例を例示する。アグリゲーションスキーム５０２は、第１のミニスロット５０５−ｂおよび第２のミニスロット５１０−ｂを含み、これらは、図２、図３、図４Ａ、および図４Ｂを参照して説明された、ミニスロット２１５、３２０、および４２０の例であり得る。第１のミニスロット５０５−ｂおよび第２のミニスロット５１０−ｂは、１つまたは複数のＲＳ、データペイロード、またはこれらの組み合わせを各々搬送し得る。示されるように、第１のミニスロット５０５−ｂおよび第２のミニスロット５１０−ｂは、１つまたは複数のＤＭＲＳ５２０（例えば、ＤＭＲＳ５２０−ｃおよびＤＭＲＳ５２０−ｄ）およびＰＴＲＳ５２５を各々搬送し得る。
【００８９】
[0099]本開示の態様に従って、第１のミニスロット５０５−ｂおよび第２のミニスロット５１０−ｂは、アグリゲートされたミニスロット５１５−ｂを形成するためにアグリゲートされ得る。いくつかのケースでは、ＤＭＲＳ５２０（例えば、ＤＭＲＳ５２０−ｄ）は、例えば、示されるように、アグリゲートされたミニスロット５１５−ｂにわたって対照的にまたは均一に配置されるべき、アグリゲーションの間に再配置され得る。
【００９０】
[0100]図６Ａおよび図６Ｂは、本開示の様々な態様にしたがってＲＳ設計をサポートする例となるＲＳ構成６０１および６０２を例示する。いくつかの例では、ＲＳ構成６０１および６０２は、図１および図２を参照して説明されたワイヤレス通信システム１００または２００の態様をインプリメントし得る。
【００９１】
[0101]図６Ａに示されるように、ＲＳ構成６０１は、ミニスロット６１０−ａおよびミニスロット６１０−ｂを含み得、これらは、図２、図３、図４Ａ、および図４Ｂを参照して説明された、ミニスロット２１５、３２０、および４２０の例であり得る。ミニスロット６１０−ａおよび６１０−ｂは、１つまたは複数のＲＳ、データペイロード、またはこれらの組み合わせを各々搬送し得る。いくつかのケースでは、例えば、ＰＴＲＳの送信のためのしきい値持続時間を満たさないそれらの時間持続時間に起因して、ミニスロット６１０−ａおよびミニスロット６１０−ｂのいずれもがＰＴＲＳを搬送し得ない。さらに、示されるように、第１のミニスロット６１０−ａおよび第２のミニスロット６１０−ｂは、ＤＭＲＳ６０５−ａの複数のインスタンスを各々搬送し、それらはミニスロットにわたって広がり得る。
【００９２】
[0102]本開示の態様にしたがって、第１のミニスロット６１０−ａおよび第２のミニスロット６１０−ｂは、アグリゲートされたミニスロット６１５−ａを形成するためにアグリゲートされ得る。いくつかのケースでは、ミニスロットのアグリゲーションは、ミニスロット６１０およびアグリゲートされたミニスロット６１５−ａのうちの１つまたは複数の間の位相変化を引き起こし得る。このようなケースでは、ＤＭＲＳ６０５−ａを備える１つまたは複数のＲＥは、ＰＴＲＳ６１５−ａによってパンクチャされ置き換えられ得、その結果、位相トラッキングを許容する。さらに、いくつかのケースでは、アグリゲートされたミニスロット６１５−ａは、（例えば、ミニスロット６１０にわたる共通ＤＭＲＳに起因して）ミニスロット６１０−ｂにおいて以前提示したＤＭＲＳ６０５−ａのインスタンスを包含し得ない。例えば、ミニスロット６１０−ｂにおけるＤＭＲＳ６０５−ａを搬送するＲＥは、パンクチャされ得る、またはＤＭＲＳ６０５−ａは、ミニスロットアグリゲーションの間にドロップされ得る。いくつかの例では、ドロップされたＤＭＲＳは代わりに、データ変調シンボルによって置き換えられ得る。
【００９３】
[0103]図６Ｂは、本開示の態様による、ＲＳ設計をサポートするアグリゲーションスキーム６０２の例を例示する。アグリゲーションスキーム６０２は、第１のミニスロット６１０−ｃおよび第２のミニスロット６１０−ｄを包含し得、これらは、図２、図３、図４Ａ、および図４Ｂを参照して説明された、ミニスロット２１５、３２０、および４２０の例であり得る。第１のミニスロット６１０−ｃおよび第２のミニスロット６１０−ｄは、１つまたは複数のＲＳ、データペイロード、またはこれらの組み合わせを各々搬送し得る。いくつかのケースでは、第１のミニスロット６１０−ｃおよび第２のミニスロット６１０−ｄは、（例えば、ＰＴＲＳの送信のためのしきい値持続時間を満たさないそれらの時間持続時間に起因して）ＰＴＲＳを搬送し得ない。示されるように、第１のミニスロット６１０−ｃおよび第２のミニスロット６１０−ｄは、ＤＭＲＳ６０５−ｂの複数のインスタンスを各々搬送し、それらはミニスロットにわたって広がり得る。
【００９４】
[0104]本開示の態様にしたがって、第１のミニスロット６１０−ｃおよび第２のミニスロット６１０−ｄは、アグリゲートされたミニスロット６１５−ｂを形成するためにアグリゲートされ得る。いくつかのケースでは、ミニスロットのアグリゲーションは、ミニスロット６１０およびアグリゲートされたミニスロット６１５−ｂのうちの１つまたは複数の間の位相変化を意図せずに引き起こし得る。このようなケースでは、ミニスロットにわたって広がっている（およびＲＳを搬送している）１つまたは複数のトーンは、ＰＴＲＳに適応させるためにミニスロットアグリゲーションの間維持され得る。例えば、ＤＭＲＳ６０５−ｂを備える１つまたは複数のＲＥは、ＰＴＲＳ６１５−ｂによってパンクチャされ置き換えられ得、その結果、位相変化をトラッキングすることを許容する。さらに、アグリゲートされたミニスロット６１５−ｂにおけるＤＭＲＳ６０５−ｂの密度は、例えば、経験したパンクチャリングに基づいて、非アグリゲートされたミニスロットにおける密度と比較すると、増加または低減され得る。例えば、いくつかのケースでは、ＤＭＲＳ６０５−ｂは、再配置され得る、またはＤＭＲＳを搬送している追加のＲＥは、ミニスロットアグリゲーションの間パンクチャされ得る。いくつかのケースでは、アグリゲートされたミニスロット６１５−ｂにおけるＤＭＲＳ６０５−ｂまたはＰＴＲＳ６２０−ｂは、（例えば、超高信頼低遅延通信（ＵＲＬＬＣ）のために）低遅延トラフィックのような、より高い優先度のトラフィックに適応させるためにパンクチャされるおよび／または再配置される必要があり得、それは、ＲＳを搬送しているＲＥをパンクチャし得る（示されない）。
【００９５】
[0105]いくつかの他のケースでは、非アグリゲートされたミニスロット（例えば、第１のミニスロット６１０−ｃまたは第２のミニスロット６１０−ｄ）の１つまたは複数のＯＦＤＭシンボルは、２つ以上の区分にミニスロットを分割するためにパンクチャされ得、それらの各々はまた、ミニスロットと呼ばれる。このようなケースでは、新規に構成されたミニスロットの各々は、単一の時間連続的な許可の部分的または完全なパンクチャリング（つまり、非アグリゲートされたミニスロット）に起因して、時間において連続的であり得ない。
【００９６】
[0106]図７は、本開示の様々な態様によるＲＳ構成７００の例を例示する。いくつかの例では、ＲＳ構成７００は、図１および図２を参照して説明されたワイヤレス通信システム１００または２００の態様をインプリメントし得る。さらに、ＲＳ構成７００は、図３−図５を参照して説明された、マッピングスキーム３００、４０１、または４０２、およびアグリゲーションスキーム５０１または５０２のうちの１つまたは複数態様を使用して展開され得る。
【００９７】
[0107]ＲＳ構成７００は、アグリゲートされたミニスロット７０５を包含し、それは、図２を参照して説明されたアグリゲートされたミニスロット２１０の例であり得る。アグリゲートされたミニスロット７０５は、各々が１つまたは複数ＲＳ、データペイロード、またはそれらの組み合わせを搬送する、別個のミニスロット７２０（例えば、ミニスロット７２０−ａ、ミニスロット７２０−ｂ、およびミニスロット７２０−ｃ）に分割され得る。さらに、ミニスロット７２０の各々は、１つまたは複数の時間インクリメント７１０（例えば、シンボル）および１つまたは複数の周波数インクリメント７１５（例えば、サブキャリア）のような時間および周波数リソースを含み、それは、時間周波数グリッドとして表わされ得る。時間および周波数の他のインクリメントが（例えば、採用されるワイヤレスシステムのタイプに依存して）使用され得ることを理解すべきである。これらのミニスロット７２０の時間および周波数割り振りにおける長さは、同じまたは異なる時間持続時間または周波数帯域幅のものであり得る。いくつかのケースでは、ミニスロット７２０は、時間において連続であり得る又は連続であり得ない。
【００９８】
[0108]いくつかの例では、ペイロード（例えば、データパケット、音声パケット）は、アグリゲートされたミニスロット７０５の１つまたは複数のミニスロット７２０に割り振られ得る。例えば、音声パケットのような第１のペイロードは、示されるように、第１のＴＢＳを有し、個別のミニスロット７２０−ａ内でリソースを割り振られ得る。第１のペイロードは、それに対応するＴＢＳ、ミニスロット７２０−ａにおいて利用可能なリソース、ミニスロット７２０−ａのＭＣＳ、中でも他のファクタに基づいてリソースを割り振られ得る。この例では、第１のペイロードは、ミニスロット７２０−ａにおいて２つのＲＥを割り振られ得る。
【００９９】
[0109]いくつかの別の例では、ペイロード（例えば、データパケット、音声パケット）は、アグリゲートされたミニスロット７０５の複数のまたはすべてのミニスロット７２０にわたって割り振られ得る。例えば、データパケットのような、第２のペイロードは、第２のＴＢＳを有し、アグリゲートされたミニスロット７０５のミニスロット７２０−ｂおよび７２０−ｃにわたって割り振られ得る。第２のペイロードは、それに対応するＴＢＳ、ミニスロット７２０−ｂおよび７２０−ｃにおいて利用可能なリソース、ミニスロット７２０−ｂおよび７２０−ｃのＭＣＳ、中でも他のファクタに基づいてリソースを割り振られ得る。いくつかのケースでは、第２のペイロードのためのフラクショナルＴＢＳは、第１のフラクショナルＴＢＳに対応する第２のペイロードの一部がミニスロット７２０−ｂに割り振られるように計算され得、（例えば、第２のフラクショナルＴＢＳに対応する）第２のペイロードの残りの一部は、ミニスロット７２０−ｃに割り振られ得る。
【０１００】
[0110]いくつかのケースでは、ＲＳ構成は、ミニスロットのために割り振られた全体の周波数帯域幅および時間リソースの一部（例えば、時間セグメント７１０）を占めるＤＭＲＳを含み得る。ミニスロット７２０−ｂでは、ＤＭＲＳおよびＰＴＲＳは、時間および周波数リソースの一部を各々占め、いくつかの例では、別のＲＳと重複し得る。例えば、図７に示されるように、重複しているＲＳ（例えば、ＰＴＲＳ）は、ＰＴＲＳを搬送するリソースがミニスロットアグリゲーションの間にＣＳＩ−ＲＳを適応させるために割り振られ得るような、ミニスロット７２０−ｃ中にパンクチャされ得る。
【０１０１】
[0111]図８は、本開示の様々な態様による処理フロー８００の例を例示する。いくつかの例では、処理フロー８００は、図１および図２を参照して説明されたワイヤレス通信システム１００または２００の態様をインプリメントし得る。処理フロー８００は、ミニスロットアグリゲーションのためのＲＳ設計をサポートするＵＥ１１５−ｂと基地局１０５−ｂとの間で実行され得、それらは、図１および図２を参照して上で説明された対応するデバイスの例であり得る。
【０１０２】
[0112]８０５で、ＵＥ１１５−ｂは、基地局１０５−ｂに１つまたは複数のＲＳおよび少なくとも１つのペイロードの送信のために使用されるべきアグリゲートされたミニスロットのセットを識別し得る。いくつかのケースでは、アグリゲートされたミニスロットのセットのうちの１つまたは複数のミニスロットは、異なる時間間隔または周波数帯域に及び得る。アグリゲートされたミニスロットのセットは、パンクチャリングの変化している度合、ＭＣＳ、ランク、送信ダイバーシティ、中でも他のファクタを有するように構成され得る。
【０１０３】
[0113]８１０で、ＵＥ１１５−ｂは、基地局１０５−ｂへの送信のためのデータペイロードを識別し得る。ペイロードは、（例えば、物理アップリンク共有チャネル（ＰＵＳＣＨ）リソースを介して）データのために割り振られたリソースを使用して基地局１０５−ｂへの送信のためのパケットを含み得る。
【０１０４】
[0114]８１５で、ＵＥ１１５−ｂは、アグリゲートされたミニスロットのセットを介して１つまたは複数のＲＳの送信のためのＲＳ構成を決定し得る。いくつかのケースでは、ＲＳは、ＤＭＲＳ、ＰＴＲＳ，ＣＳＩ−ＲＳ、時間トラッキングＲＳ，周波数トラッキングＲＳ、ＳＲＳ、または任意の他のアップリンクＲＳを含み得る。いくつかのケースでは、ＲＳ構成を識別することはさらに、アグリゲートされたミニスロットにわたる密度またはＲＳパターンを決定することを備える。いくつかのケースでは、ＲＳ構成は、アグリゲートされたミニスロットにわたって共有され得る。例えば、ＲＳパターンまたは波形は、アグリゲートされたミニスロットのセットのうちの複数のミニスロットの間で共有され得る。いくつかのケースでは、アグリゲートされたミニスロットを構成する１つまたは複数のミニスロットの各々は、それ自身のＲＳ構成を含み得る。いくつかのケースでは、ＲＳ構成は、スペクトル効率、ＲＥの数、フラクショナルＴＢＳ、ランク、波形、リソース割り振り、送信ダイバーシティスキーム、またはこれらの任意の組み合わせに部分的に基づいて決定され得る。
【０１０５】
[0115]８２０で、ＵＥ１１５−ｂは、アグリゲートされたミニスロットのセットに少なくとも１つのデータペイロードを割り振り得る。例えば、ＵＥ１１５−ｂは、アグリゲートされたミニスロットのセットにわたって少なくとも１つのデータペイロードを割り振り得る。いくつかの他のケースでは、ＵＥ１１５−ｂは、アグリゲートされたミニスロットのセットのそれぞれのミニスロットに、少なくとも１つのデータペイロードの各データペイロードを割り振り得る。いくつかの態様では、８２０で、ＵＥ１１５は、周波数第１のマッピングスキームまたは時間第１のマッピングスキームに少なくとも部分的に基づいてアグリゲートされたミニスロットのセットを符号化し得る。
【０１０６】
[0116]８２５で、ＵＥ１１５−ｂは、アグリゲートされたミニスロットのセットを介して、基地局１０５−ｂに少なくとも１つのデータペイロードおよび１つまたは複数のＲＳを送信し得る。いくつかのケースでは、１つまたは複数のＲＳおよび少なくとも１つのデータペイロードの送信は、８２０で実行された符号化および割り振りに少なくとも部分的に基づく。いくつかのケースでは、データペイロードおよびＲＳの送信のためのアグリゲートされたミニスロットの各々をスケジュールすることは、１つまたは複数のスケジューリング許可メッセージに少なくとも部分的に基づき得る。いくつかのケースでは、スケジューリング許可は、基地局１０５−ｂから受信したＤＣＩに示され得る。
【０１０７】
[0117]図９は、本開示の様々な態様にしたがった、ワイヤレスデバイス９０５のブロック図９００を図示する。ワイヤレスデバイス９０５は、本願明細書で説明されたようなＵＥ１１５の態様の例であり得る。ワイヤレスデバイス９０５は、受信機９１０、通信マネージャ９１５、および送信機９２０を含み得る。ワイヤレスデバイス９０５はまた、プロセッサを含み得る。これらのコンポーネントの各々は、（例えば、１つまたは複数のバスを介して）互いと通信状態にあり得る。
【０１０８】
[0118]受信機９１０は、様々な情報チャネル（例えば、スロットアグリゲーションのためのＲＳ設計に関連する情報、データチャネル、および制御チャネル、等）に関連付けられた制御情報、ユーザデータ、またはパケットのような情報を受信し得る。情報は、デバイスの他のコンポーネントに伝えられ得る。受信機９１０は、図１２を参照して説明されるトランシーバ１２３５の態様の例であり得る。受信機９１０は、単一のアンテナを利用し得るか、またはそれは、アンテナのセットを利用し得る。
【０１０９】
[0119]通信マネージャ９１５は、図１２を参照して説明される通信マネージャ１２１５の態様の例であり得る。通信マネージャ９１５またはその様々なサブコンポーネントのうちの少なくともいくつかは、ハードウェア、プロセッサによって実行されるソフトウェア、ファームウェア、またはこれらの任意の組合せでインプリメントされ得る。プロセッサによって実行されるソフトウェアでインプリメントされる場合、通信マネージャ９１５またはその様々なサブコンポーネントのうちの少なくともいくつかの機能は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブルロジックデバイス、ディスクリートゲートまたはトランジスタロジック、ディスクリートハードウェアコンポーネント、あるいは本開示で説明される機能を実行するように設計されたこれらの任意の組合せによって実行され得る。
【０１１０】
[0120]通信マネージャ９１５またはその様々なサブコンポーネントのうちの少なくともいくつかは、様々な位置に物理的に位置し得、機能の部分が、１つまたは複数の物理的デバイスによって異なる物理的なロケーションにおいてインプリメントされるように分散されていることを含む。いくつかの例では、通信マネージャ９１５またはその様々なサブコンポーネントのうちの少なくともいくつかは、本開示の様々な態様による、別個のおよび異なるコンポーネントであり得る。他の例では、通信マネージャ９１５またはその様々なサブコンポーネントのうちの少なくともいくつかは、本開示の様々な態様に従って、それに限定されるものではないが、Ｉ／Ｏコンポーネント、トランシーバ、ネットワークサーバ、別のコンピューティングデバイス、本開示で説明される１つまたは複数の他のコンポーネント、またはこれらの組合せを含む、１つまたは複数の他のハードウェアコンポーネントと組み合わされ得る。
【０１１１】
[0121]通信マネージャ９１５は、１つまたは複数のＲＳおよび少なくとも１つのデータペイロードの送信のために使用されるべきアグリゲートされたミニスロットのセットを識別し得る。通信マネージャ９１５は、アグリゲートされたミニスロットのセットを介して１つまたは複数のＲＳの送信のためのＲＳ構成を決定し、アグリゲートされたミニスロットのセットに関連付けられたリソースに少なくとも１つのデータペイロードを割り振り得る。いくつかの例では、通信マネージャ９１５は、アグリゲートされたミニスロットのセットを介して、１つまたは複数のＲＳと、ＲＳ構成および少なくとも１つのデータペイロードの割り振りに基づく少なくとも１つのデータペイロードを送信し得る。
【０１１２】
[0122]送信機９２０は、デバイスの他のコンポーネントによって生成される信号を送信し得る。いくつかの例では、送信機９２０は、トランシーバモジュール中で受信機９１０とコロケートされ得る。例えば、送信機９２０は、図１２を参照して説明されるトランシーバ１２３５の態様の例であり得る。受信機９２０は、単一のアンテナを利用し得るか、またはそれは、アンテナのセットを利用し得る。
【０１１３】
[0123]図１０は、本開示の様々な態様にしたがった、ワイヤレスデバイス１００５のブロック図１０００を図示する。ワイヤレスデバイス１００５は、図９を参照して説明されたワイヤレスデバイス９０５またはＵＥ１１５の態様の例であり得る。ワイヤレスデバイス１００５は、受信機１０１０、通信マネージャ１０１５、および送信機１０２０を含み得る。ワイヤレスデバイス１００５はまた、プロセッサを含み得る。これらのコンポーネントの各々は、（例えば、１つまたは複数のバスを介して）互いと通信状態にあり得る。
【０１１４】
[0124]受信機１０１０は、様々な情報チャネル（例えば、スロットアグリゲーションのためのＲＳ設計に関連する情報、データチャネル、および制御チャネル、等）に関連付けられた制御情報、ユーザデータ、またはパケットのような情報を受信し得る。情報は、デバイスの他のコンポーネントに伝えられ得る。受信機１０１０は、図１２を参照して説明されるトランシーバ１２３５の態様の例であり得る。受信機１０１０は、単一のアンテナを利用し得るか、またはそれは、アンテナのセットを利用し得る。
【０１１５】
[0125]通信マネージャ１０１５は、図１２を参照して説明される通信マネージャ１２１５の態様の例であり得る。通信マネージャ１０１５はまた、アグリゲーションコンポーネント１０２５、ＲＳ構成コンポーネント１０３０、割り振りコンポーネント１０３５、および送信コンポーネント１０４０を含み得る。
【０１１６】
[0126]アグリゲーションコンポーネント１０２５は、１つまたは複数のＲＳおよび少なくとも１つのデータペイロードの送信のために使用されるべきアグリゲートされたミニスロットのセットを識別し得る。いくつかのケースでは、アグリゲートされたミニスロットのセットのうちのミニスロットのセットは、連続的であり、同じリソース割り振りを有する。いくつかのケースでは、アグリゲートされたミニスロットのセットのうちの第１のミニスロットは、アグリゲートされたミニスロットのセットのうちの第２のミニスロットと異なる帯域幅を有し得る。
【０１１７】
[0127]ＲＳ構成コンポーネント１０３０は、アグリゲートされたミニスロットのセットを介して１つまたは複数のＲＳの送信のためのＲＳ構成を決定し、２つのミニスロットの間の時間区切りと周波数区切りとのうちの１つまたは両方に基づいてアグリゲートされたミニスロットのセットのうちの２つにミニスロットの間のＲＳパターンを共有するかどうかを決定し得る。
【０１１８】
[0128]いくつかのケースでは、ＲＳ構成を決定することは、アグリゲートされたミニスロットのセットにわたるかそれともアグリゲートされたミニスロットのセットの各ミニスロットのためのＲＳパターンを決定することを含む。いくつかのケースでは、各ミニスロットのためのＲＳパターンの決定は、アグリゲートされたミニスロットのセットの各ミニスロットの、ＭＣＳ、ランク、波形、リソース割り振り、送信ダイバーシティスキーム、またはそれらについての組合せのうちの少なくとも１つに基づき得る。いくつかのケースでは、アグリゲートされたミニスロットのセットのうちの第１のミニスロットのための、ＭＣＳ、ランク、波形、リソース割り振り、送信ダイバーシティスキームは、アグリゲートされたミニスロットのセットのうちの第２のミニスロットのためのものと異なる。
【０１１９】
[0129]いくつかの例では、アグリゲートされたミニスロットのセットのうちの第１のミニスロットのためのＲＳ構成は、アグリゲートされたミニスロットのセットのうちの第２のミニスロットのＲＳ構成と異なり得る。アグリゲートされたミニスロットのセットのうちの第１のミニスロットのためのＲＳ構成は、第１のミニスロットのためのパンクチャリングの度合に基づき得、第１のミニスロットのためのパンクチャリングの度合は、少なくとも１つのミニスロットのために構成された追加の信号に基づき得る。
【０１２０】
[0130]いくつかのケースでは、ＲＳ構成を決定することは、アグリゲートされたミニスロットのセットにわたるかＲＳパターンを決定することを含み、ここで、ＲＳパターンは、アグリゲートされたミニスロットのセットのうちの複数のミニスロットの間で共有される。いくつかのケースでは、アグリゲートされたミニスロットのセットのうちの第１のミニスロットのためのＲＳ波形は、アグリゲートされたミニスロットのセットのうちの第２のミニスロットのＲＳ波形と異なり得る。
【０１２１】
[0131]いくつかの態様に従って、複数のミニスロットのためのＲＳ構成は、複数のミニスロットに対応するＤＣＩに基づいて決定される。いくつかのケースでは、ＲＳ構成は、アグリゲートされたミニスロットのセットのうちの１つまたは複数のミニスロットの、スペクトル効率、ＲＥの数、ＴＢＳ、ＴＢＳおよびＲＥの数の比、またはこれらの任意の組合せに基づいて決定される。いくつかのケースでは、ＲＳ構成は、フラクショナルＴＢＳ、ランク、波形、送信ダイバーシティスキーム、またはこれらの任意の組み合わせに基づいて決定される。
【０１２２】
[0132]割り振りコンポーネント１０３５は、アグリゲートされたミニスロットのセットに関連付けられたリソースに少なくとも１つのデータペイロードを割り振り得る。少なくとも１つのデータペイロードの割り振りは、単一許可メッセージに基づき得る。いくつかのケースでは、少なくとも１つのデータペイロードは、アグリゲートされたミニスロットのセットにわたってまたはアグリゲートされたミニスロットのセットのそれぞれのミニスロットに少なくとも１つのデータペイロードを割り振ることを含む。いくつかのケースでは、少なくとも１つのデータペイロードの割り振りは、アグリゲートされたミニスロットのセットの各ミニスロットのためのＭＣＳに基づき得る。いくつかの例に従って、第１のミニスロットのためのＭＣＳは、第２のミニスロットのためのＭＣＳと異なり得る。
【０１２３】
[0133]送信コンポーネント１０４０は、アグリゲートされたミニスロットのセットを介して、ＲＳ構成に基づいて１つまたは複数のＲＳを送信し得る。いくつかのケースでは、送信マネージャ１０４０は、アグリゲートされたミニスロットのセットを介して、１つまたはデータペイロードの割り振りに基づいて少なくとも１つのデータペイロードを送信し得る。
【０１２４】
[0134]送信機１０２０は、デバイスの他のコンポーネントによって生成される信号を送信し得る。いくつかの例では、送信機１０２０は、トランシーバモジュール中で受信機１０１０とコロケートされ得る。例えば、送信機１０２０は、図１２を参照して説明されるトランシーバ１２３５の態様の例であり得る。受信機１０２０は、単一のアンテナを利用し得るか、またはそれは、アンテナのセットを利用し得る。
【０１２５】
[0135]図１１は、本開示の様々な態様にしたがった、通信マネージャ１１１５のブロック図１１００を図示する。通信マネージャ１１１５は、図９、図１０、および図１２を参照して説明される通信マネージャ９１５、通信マネージャ１０１５、または通信マネージャ１２１５の態様の例であり得る。通信マネージャ１１１５は、アグリゲーションコンポーネント１１２０、ＲＳ構成コンポーネント１１２５、割り振りコンポーネント１１３０、送信コンポーネント１１３５、ＴＢＳコンポーネント１１４０、許可コンポーネント１１４５、スケジューリングコンポーネント１１５０、および符号化器１１５５を含み得る。これらのモジュールの各々は、直接的にまたは間接的に、（例えば、１つまたは複数のバスを介して）互いに通信し得る。
【０１２６】
[0136]アグリゲーションコンポーネント１１２０は、１つまたは複数のＲＳおよび少なくとも１つのデータペイロードの送信のために使用されるべきアグリゲートされたミニスロットのセットを識別し得る。いくつかのケースでは、アグリゲートされたミニスロットのセットのうちのミニスロットのセットは、連続的であり、同じリソース割り振りを有する。いくつかの例では、アグリゲートされたミニスロットのセットのうちの第１のミニスロットは、アグリゲートされたミニスロットのセットのうちの第２のミニスロットと異なる帯域幅を有し得る。
【０１２７】
[0137]ＲＳ構成コンポーネント１１２５は、アグリゲートされたミニスロットのセットを介して１つまたは複数のＲＳの送信のためのＲＳ構成を決定し、２つのミニスロットの間の時間区切りと周波数区切りとのうちの１つまたは両方に基づいてアグリゲートされたミニスロットのセットのうちの２つにミニスロットの間のＲＳパターンを共有するかどうかを決定し得る。
【０１２８】
[0138]いくつかのケースでは、ＲＳ構成を決定することは、アグリゲートされたミニスロットのセットにわたる、またはアグリゲートされたミニスロットのセットの各ミニスロットのためのＲＳパターンを決定することを含む。いくつかのケースでは、各ミニスロットのためのＲＳパターンの決定は、アグリゲートされたミニスロットのセットの各ミニスロットの、ＭＣＳ、ランク、波形、リソース割り振り、送信ダイバーシティスキーム、またはそれらについての組合せのうちの少なくとも１つに基づき得る。いくつかのケースでは、アグリゲートされたミニスロットのセットのうちの第１のミニスロットのための、ＭＣＳ、ランク、波形、リソース割り振り、送信ダイバーシティスキームは、アグリゲートされたミニスロットのセットのうちの第２のミニスロットのためのものと異なる。
【０１２９】
[0139]いくつかの例では、アグリゲートされたミニスロットのセットのうちの第１のミニスロットのためのＲＳ構成は、アグリゲートされたミニスロットのセットのうちの第２のミニスロットのＲＳ構成と異なり得る。アグリゲートされたミニスロットのセットのうちの第１のミニスロットのためのＲＳ構成は、第１のミニスロットのためのパンクチャリングの度合に基づき得、第１のミニスロットのためのパンクチャリングの度合は、少なくとも１つのミニスロットのために構成された追加の信号に基づき得る。
【０１３０】
[0140]いくつかのケースでは、ＲＳ構成を決定することは、アグリゲートされたミニスロットのセットにわたるかＲＳパターンを決定することを含み、ここで、ＲＳパターンは、アグリゲートされたミニスロットのセットのうちの複数のミニスロットの間で共有される。いくつかのケースでは、アグリゲートされたミニスロットのセットのうちの第１のミニスロットのためのＲＳ波形は、アグリゲートされたミニスロットのセットのうちの第２のミニスロットのＲＳ波形と異なり得る。
【０１３１】
[0141]いくつかの態様に従って、複数のミニスロットのためのＲＳ構成は、複数のミニスロットに対応するＤＣＩに基づいて決定される。いくつかのケースでは、ＲＳ構成は、アグリゲートされたミニスロットのセットのうちの１つまたは複数のミニスロットの、スペクトル効率、ＲＥの数、ＴＢＳ、ＴＢＳおよびＲＥの数の比、またはこれらの任意の組合せに基づいて決定される。いくつかのケースでは、ＲＳ構成は、部分ＴＢＳ、ランク、波形、送信ダイバーシティスキーム、またはこれらの任意の組み合わせに基づいて決定される。いくつかのケースでは、１つまたは複数のＲＳは、ＤＭＲＳ、ＰＴＲＳ、時間トラッキングＲＳ、または周波数トラッキングＲＳを含み得る。
【０１３２】
[0142]割り振りコンポーネント１１３０は、アグリゲートされたミニスロットのセットに関連付けられたリソースに少なくとも１つのデータペイロードを割り振り得る。少なくとも１つのデータペイロードの割り振りは、単一許可メッセージに基づき得る。いくつかのケースでは、少なくとも１つのデータペイロードは、アグリゲートされたミニスロットのセットにわたってまたはアグリゲートされたミニスロットのセットのそれぞれのミニスロットに少なくとも１つのデータペイロードを割り振ることを含む。いくつかのケースでは、少なくとも１つのデータペイロードの割り振りは、アグリゲートされたミニスロットのセットの各ミニスロットのためのＭＣＳに基づき得る。いくつかの例に従って、第１のミニスロットのためのＭＣＳは、第２のミニスロットのためのＭＣＳと異なり得る。
【０１３３】
[0143]送信コンポーネント１１３５は、アグリゲートされたミニスロットのセットを介して、ＲＳ構成に基づいて１つまたは複数のＲＳを送信し得る。いくつかのケースでは、送信マネージャ１１３５は、アグリゲートされたミニスロットのセットを介して、１つまたはデータペイロードの割り振りに基づいて少なくとも１つのデータペイロードを送信し得る。
【０１３４】
[0144]ＴＢＳコンポーネントは、アグリゲートされたミニスロットのセットに関連付けられたＲＥの数、アグリゲートされたミニスロットのセットの各ミニスロットの変調次数、アグリゲートされたミニスロットのセットの各ミニスロットのランク、アグリゲートされたミニスロットのセットの各ミニスロットのパンクチャリングの度合、アグリゲートされたミニスロットのセットの各ミニスロットのためのレートマッチングスキーム、またはこれらの任意の組合せに少なくとも部分的に基づいて、アグリゲートされたミニスロットのセットのうちの第１のミニスロットのためのＴＢＳを決定し得、ここで、少なくとも１つのデータペイロードの一部は、フラクショナルＴＢＳに基づいて第１のミニスロットに割り振られる。
【０１３５】
[0145]許可コンポーネント１１４５は、アグリゲートされたミニスロットのセットのうちの複数のミニスロットに共通する情報を含む少なくとも１つの許可を識別し、ここで、複数のミニスロットに対応するＤＣＩは、複数のミニスロットに共通の情報に基づき、少なくとも１つの許可を指し示すインジケータのアイデンティフィケーションに基づく、少なくとも１つの許可を識別し得る。いくつかのケースでは、少なくとも１つの許可を指し示すインジケータは、複数のミニスロットに対応するＤＣＩ中に含まれる。いくつかのケースでは、複数のミニスロットに共通の情報は、波形特徴、リソースブロック割り振り、ランク、またはこれらの組合せを含む。いくつかの例では、ＤＣＩは、複数のミニスロットに共通の情報に対応する１つまたは複数の短縮されたフィールドを含む。いくつかの態様では、少なくとも１つの許可は、単一許可から成る。
【０１３６】
[0146]スケジューリングコンポーネント１１５０は、アグリゲートされたミニスロットのセットの各ミニスロットのための１つまたは複数のスケジューリングパラメータおよびアグリゲートされたミニスロットのセットのうちの少なくとも２つのミニスロットの間の区切りを決定し得る、ここで、ＲＳ構成は、スケジューリングパラメータおよび区切りに基づいて決定される。スケジューリングコンポーネント１１５０は、単一許可メッセージに基づいて、アグリゲートされたミニスロットのセットのうちの複数のミニスロットに共通する１つまたは複数のスケジューリングパラメータを決定し、ここで、ＲＳパターンは、１つまたは複数のスケジューリングパラメータに基づき、単一許可メッセージまたはそれぞれの許可メッセージを介してアグリゲートされたミニスロットのセットの各々をスケジュールし得る。
【０１３７】
[0147]符号化器１１５５は、周波数第１のマッピングスキームまたは時間第１のマッピングスキームに基づいてアグリゲートされたミニスロットのセットを符号化し得る、ここで、１つまたは複数のＲＳおよび少なくとも１つのデータペイロードの送信は、符号化することに基づく。
【０１３８】
[0148]図１２は、本開示の様々な態様にしたがった、デバイス１２０５を含むシステム１２００の図を示す。デバイス１２０５は、例えば、図９および図１０を参照して、上記で説明されたような、ワイヤレスデバイス９０５、ワイヤレスデバイス１００５、またはＵＥ１１５のコンポーネントを含むか、またはその例であり得る。デバイス１２０５は、通信マネージャ１２１５、プロセッサ１２２０、メモリ１２２５、ソフトウェア１２３０、トランシーバ１２３５、アンテナ１２４０、およびＩ／Ｏコントローラ１２４５を含む、通信を送信および受信するためのコンポーネントを含む双方向音声およびデータ通信のためのコンポーネントを含み得る。これらのコンポーネントは、１つまたは複数のバス（例えば、バス１２１０）を介して電子通信状態にあり得る。デバイス１２０５は、１つまたは複数の基地局１０５とワイヤレスに通信し得る。
【０１３９】
[0149]プロセッサ１２２０は、インテリジェントハードウェアデバイス（例えば、汎用プロセッサ、ＤＳＰ、中央処理ユニット（ＣＰＵ）、マイクロコントローラ、ＡＳＩＣ、ＦＰＧＡ、プログラマブルロジックデバイス、ディスクリートゲートまたはトランジスタロジックコンポーネント、ディスクリートハードウェアコンポーネント、またはこれらの任意の組合せ）を含み得る。いくつかのケースでは、プロセッサ１２２０は、メモリコントローラを使用してメモリアレイを動作させるように構成され得る。他のケースでは、メモリコントローラは、プロセッサ１２２０に一体化され得る。プロセッサ１２２０は、様々な機能（例えば、スロットアグリゲーションのためのＲＳ設計をサポートする機能またはタスク）を実行するために、メモリ中に記憶されたコンピュータ可読命令を実行するように構成され得る。
【０１４０】
[0150]メモリ１２２５は、ランダムアクセスメモリ（ＲＡＭ）および読取専用メモリ（ＲＯＭ）を含み得る。メモリ１２２５は、実行されると、プロセッサに、ここに説明された様々な機能を実行することを行わせる命令を含むコンピュータ可読、コンピュータ実行可能ソフトウェア１２３０を記憶し得る。いくつかのケースでは、メモリ１２２５は、中でもとりわけ、周辺コンポーネントまたはデバイスとの相互作用のような基本ハードウェアまたはソフトウェア動作を制御し得る基本入出力システム（ＢＩＯＳ）を包含し得る。
【０１４１】
[0151]ソフトウェア１２３０は、スロットアグリゲーションのためのＲＳ設計をサポートするためのコードを含む、本開示の態様をインプリメントするためのコードを含み得る。ソフトウェア１２３０は、システムメモリまたは他のメモリのような非一時的コンピュータ可読媒体中に記憶され得る。いくつかのケースでは、ソフトウェア１２３０は、プロセッサによって直接実行可能ではないことがあり得るが、（例えば、コンパイルおよび実行されたときに）コンピュータに、本明細書に説明された機能を実行することを行わせ得る。
【０１４２】
[0152]トランシーバ１２３５は、上記で説明されたように、１つまたは複数のアンテナ、ワイヤードまたはワイヤレスリンクを介して双方向に通信し得る。例えば、トランシーバ１２３５は、ワイヤレストランシーバを表し、別のワイヤレストランシーバと双方向に通信し得る。トランシーバ１２３５はまた、パケットを変調し、変調されたパケットを送信のためにアンテナに提供し、アンテナから受信されたパケットを復調するためのモデムを含み得る。
【０１４３】
[0153]いくつかのケースでは、ワイヤレスデバイスは、単一のアンテナ１２４０を含み得る。しかしながら、いくつかのケースでは、デバイスは、１つよりも多くのアンテナ１２４０を有し得、それらは、複数のワイヤレス送信を同時に送信または受信することが可能であり得る。
【０１４４】
[0154]Ｉ／Ｏコントローラ１２４５は、デバイス１２０５のための入力および出力信号を管理し得る。Ｉ／Ｏコントローラ１２４５はまた、デバイス１２０５に一体化されていない周辺機器を管理し得る。いくつかのケースでは、Ｉ／Ｏコントローラ１２４５は、外部周辺機器への物理的接続またはポートを表し得る。いくつかのケースでは、Ｉ／Ｏコントローラ１２４５は、ｉＯＳ（登録商標）、ＡＮＤＲＯＩＤ（登録商標）、ＭＳ−ＤＯＳ（登録商標）、ＭＳ−ＷＩＮＤＯＷＳ（登録商標）、ＯＳ／２（登録商標）、ＵＮＩＸ（登録商標）、ＬＩＮＵＸ（登録商標）、または別の知られているオペレーティングシステムなどのオペレーティングシステムを利用し得る。他のケースでは、Ｉ／Ｏコントローラ１２４５は、モデム、キーボード、マウス、タッチスクリーン、または同様のデバイスを表わす、またはこれらとインタラクトし得る。いくつかのケースでは、Ｉ／Ｏコントローラ１２４５は、プロセッサの一部としてインプリメントされ得る。いくつかのケースでは、ユーザは、Ｉ／Ｏコントローラ１２４５を介してまたはＩ／Ｏコントローラ１２４５によって制御されるハードウェアコンポーネントを介してデバイス１２０５とインタラクトし得る。
【０１４５】
[0155]  図１３は、本開示の態様にしたがう方法１３００を例示するフローチャートを示す。方法１３００の動作は、本明細書で説明されたように、ＵＥ１１５またはそのコンポーネントによってインプリメントされ得る。例えば、方法１３００の動作は、図９〜図１２を参照して説明されたように、通信マネージャによって実行され得る。いくつかの例では、ＵＥ１１５は、以下で説明される機能を実行するために、デバイスの機能的な要素を制御するためのコードのセットを実行し得る。追加または代替として、ＵＥ１１５は、専用ハードウェアを使用して、以下で説明される機能の態様を実行し得る。
【０１４６】
[0156]１３０５で、アグリゲーションコンポーネント１１５は、１つまたは複数のＲＳおよび少なくとも１つのデータペイロードの送信のために使用されるべきアグリゲートされたミニスロットのセットを識別し得る。いくつかのケースでは、アグリゲートされたミニスロットのセットのうちの少なくとも１つのミニスロットは、スロットのサブセットであり得る。１３０５での動作は、本明細書で説明される方法に従って実行され得る。ある特定の例では、１３０５での動作の態様は、図９〜１２を参照して説明されたようなアグリゲーションコンポーネントによって実行され得る。
【０１４７】
[0157]１３１０で、ＵＥ１１５は、アグリゲートされたミニスロットのセットを介して１つまたは複数のＲＳの送信のためのＲＳ構成を決定し得る。１３１０での動作は、本明細書で説明される方法に従って実行され得る。ある特定の例では、１３１０での動作の態様は、図９〜１２を参照して説明されたようなＲＳコンポーネントによって実行され得る。
【０１４８】
[0158]１３１５で、ＵＥ１１５は、アグリゲートされたミニスロットのセットに関連付けられたリソースに少なくとも１つのデータペイロードを割り振り得る。１３１５での動作は、本明細書で説明される方法に従って実行され得る。ある特定の例では、１３１５での動作の態様は、図９〜１２を参照して説明されたような割り振りコンポーネントによって実行され得る。いくつかの例では、ペイロード（例えば、データパケット、音声パケット）は、個別のミニスロットにまたは複数のミニスロットにわたって割り振られ得る。例えば、第１のペイロードは、複数のミニスロットに割り振られ得る第２のペイロードおよび第１のミニスロット内で利用可能なリソースに割り振られ得る。ペイロードは、対応するＴＢＳ、利用可能なリソース、１つまたは複数のミニスロットのＭＣＳ、中でも他のファクタに基づいてリソースを割り振られ得る。
【０１４９】
[0159]１３２０で、ＵＥ１１５は、アグリゲートされたミニスロットのセットを介して、ＲＳ構成および少なくとも１つのデータペイロードの割り振りに基づく、１つまたは複数のＲＳおよび少なくとも１つのデータペイロードを送信し得る。１３２０での動作は、本明細書で説明される方法に従って実行され得る。ある特定の例では、１３２０での動作の態様は、図９〜１２を参照して説明されたような送信コンポーネントによって実行され得る。例えば、１つまたは複数のＲＳは、共有ＲＳが複数のミニスロットにわたって送信されるような、ＲＳ構成に基づいて送信され得る、または１つまたは複数のＲＳは、複数のＲＳの各々についてのそれぞれのＲＳパターンに従って送信される。いくつかの例では、少なくとも１つのペイロードは、複数のミニスロットにリソースを割り振られたペイロード、またはそれぞれのミニスロットにおいてリソースを割り振られた複数のペイロードような１３１５の割り振りに従って送信され得る。
【０１５０】
[0160]図１４は、本開示の態様にしたがう方法１４００を例示するフローチャートを示す。方法１４００の動作は、本明細書で説明されたように、ＵＥ１１５またはそのコンポーネントによってインプリメントされ得る。例えば、方法１４００の動作は、図９〜図１２を参照して説明されたように、通信マネージャによって実行され得る。いくつかの例では、ＵＥ１１５は、以下で説明される機能を実行するために、デバイスの機能的な要素を制御するためのコードのセットを実行し得る。追加または代替として、ＵＥ１１５は、専用ハードウェアを使用して、以下で説明される機能の態様を実行し得る。
【０１５１】
[0161]１４０５で、アグリゲーションコンポーネント１１５は、１つまたは複数のＲＳおよび少なくとも１つのデータペイロードの送信のために使用されるべきアグリゲートされたミニスロットのセットを識別し得る。いくつかのケースでは、アグリゲートされたミニスロットのセットのうちの少なくとも１つのミニスロットは、スロットのサブセットであり得る。１４０５での動作は、本明細書で説明される方法に従って実行され得る。ある特定の例では、１４０５での動作の態様は、図９〜１２を参照して説明されたようなアグリゲーションコンポーネントによって実行され得る。
【０１５２】
[0162]１４１０で、ＵＥ１１５は、アグリゲートされたミニスロットのセットのうちの各ミニスロットのための基準信号パターンを決定し得る。１４１０での動作は、本明細書で説明される方法に従って実行され得る。ある特定の例では、１４１０での動作の態様は、図９〜１２を参照して説明されたようなＲＳコンポーネントによって実行され得る。
【０１５３】
[0163]１４１５で、ＵＥ１１５は、アグリゲートされたミニスロットのセットにわたって少なくとも１つのデータペイロードを割り振り得る。１４１５での動作は、本明細書で説明される方法に従って実行され得る。ある特定の例では、１４１５での動作の態様は、図９〜１２を参照して説明されたような割り振りコンポーネントによって実行され得る。
【０１５４】
[0164]１４２０で、ＵＥ１１５は、アグリゲートされたミニスロットのセットを介して、ＲＳ構成および少なくとも１つのデータペイロードの割り振りに基づく、１つまたは複数のＲＳおよび少なくとも１つのデータペイロードを送信し得る。１４２０での動作は、本明細書で説明される方法に従って実行され得る。ある特定の例では、１４２０での動作の態様は、図９〜１２を参照して説明されたような送信コンポーネントによって実行され得る。
【０１５５】
[0165]図１５は、本開示の態様にしたがう方法１５００を例示するフローチャートを示す。方法１５００の動作は、本明細書で説明されたように、ＵＥ１１５またはそのコンポーネントによってインプリメントされ得る。例えば、方法１５００の動作は、図９〜図１２を参照して説明されたように、通信マネージャによって実行され得る。いくつかの例では、ＵＥ１１５は、以下で説明される機能を実行するために、デバイスの機能的な要素を制御するためのコードのセットを実行し得る。追加または代替として、ＵＥ１１５は、専用ハードウェアを使用して、以下で説明される機能の態様を実行し得る。
【０１５６】
[0166]１５０５で、アグリゲーションコンポーネント１１５は、１つまたは複数のＲＳおよび少なくとも１つのデータペイロードの送信のために使用されるべきアグリゲートされたミニスロットのセットを識別し得る。いくつかのケースでは、アグリゲートされたミニスロットのセットのうちの少なくとも１つのミニスロットは、スロットのサブセットであり得る。１５０５での動作は、本明細書で説明される方法に従って実行され得る。ある特定の例では、１５０５での動作の態様は、図９〜１２を参照して説明されたようなアグリゲーションコンポーネントによって実行され得る。
【０１５７】
[0167]１５１０で、ＵＥ１１５は、アグリゲートされたミニスロットのセットのうちの複数のミニスロットの間で共有されるアグリゲートされたミニスロットのセットにわたって基準信号パターンを決定し得る。１５１０での動作は、本明細書で説明される方法に従って実行され得る。ある特定の例では、１５１０での動作の態様は、図９〜１２を参照して説明されたようなＲＳコンポーネントによって実行され得る。
【０１５８】
[0168]１５１５で、ＵＥ１１５は、アグリゲートされたミニスロットのセットのそれぞれのミニスロットに、少なくとも１つのデータペイロードの各データペイロードを割り振り得る。１５１５での動作は、本明細書で説明される方法に従って実行され得る。ある特定の例では、１５１５での動作の態様は、図９〜１２を参照して説明されたような割り振りコンポーネントによって実行され得る。
【０１５９】
[0169]１５２０で、ＵＥ１１５は、アグリゲートされたミニスロットのセットを介して、ＲＳ構成および少なくとも１つのデータペイロードの割り振りに基づく、１つまたは複数のＲＳおよび少なくとも１つのデータペイロードを送信し得る。いくつかのケースでは、ＲＳ構成は、アグリゲートされたミニスロットにわたるＲＳパターンを決定することを備える。いくつかのケースでは、少なくとも１つのデータペイロードを割り振ることは、アグリゲートされたミニスロットのセットにわたって少なくとも１つのデータペイロードを割り振ることを備え得る。１５２０での動作は、本明細書で説明される方法に従って実行され得る。ある特定の例では、１５２０での動作の態様は、図９〜１２を参照して説明されたような送信コンポーネントによって実行され得る。
【０１６０】
[0170]上述された方法は、可能なインプリメンテーションを説明しており、動作およびステップは、再配列またはそうでない場合は修正され得、他のインプリメンテーションが可能であることに留意されたい。さらに、それら方法のうちの２つ以上からの態様が組み合わされ得る。
【０１６１】
[0171]  本明細書で説明された技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングルキャリア周波数分割多元接続（ＳＣ−ＦＤＭＡ）、および他のシステムといった、様々なワイヤレス通信システムのために使用され得る。「システム」および「ネットワーク」という用語は、しばしば交換可能に使用される。ＣＤＭＡシステムは、ＣＤＭＡ２０００、ユニバーサル地上波無線アクセス（ＵＴＲＡ）等のような無線技術をインプリメントし得る。ＣＤＭＡ２０００は、ＩＳ−２０００、ＩＳ−９５、ＩＳ−８５６規格をカバーする。ＩＳ−２０００リリースは一般に、ＣＤＭＡ２０００  １Ｘ、１Ｘ、等と呼ばれ得る。ＩＳ−８５６（ＴＩＡ−８５６）は一般に、ＣＤＭＡ２０００  １ｘＥＶ−ＤＯ、高速パケットデータ（ＨＲＰＤ）等と称される。ＵＴＲＡは、広帯域ＣＤＭＡ（ＷＣＤＭＡ（登録商標））およびＣＤＭＡの他の変形を含む。ＴＤＭＡシステムは、移動体通信のための全世界システム（ＧＳＭ（登録商標））のような無線技術をインプリメントし得る。
【０１６２】
[0172]ＯＦＤＭＡシステムは、ウルトラモバイルブロードバンド（ＵＭＢ）、発展型ＵＴＲＡ（Ｅ−ＵＴＲＡ）、米国電気電子学会（ＩＥＥＥ）８０２．１１（Ｗｉ−Ｆｉ）、ＩＥＥＥ８０２．１６（ＷｉＭＡＸ）、ＩＥＥＥ８０２．２０、フラッシュ−ＯＦＤＭ、等のような無線技術をインプリメントし得る。ＵＴＲＡおよびＥ−ＵＴＲＡは、ユニバーサルモバイルテレコミュニケーションシステム（ＵＭＴＳ）の一部である。ＬＴＥおよびＬＴＥ−Ａは、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、ＮＲ、およびＧＳＭは、「第３世代パートナーシッププロジェクト」（３ＧＰＰ（登録商標））という名称の団体による文書中で説明されている。ＣＤＭＡ２０００およびＵＭＢは、「第３世代パートナーシッププロジェクト２」（３ＧＰＰ２）という名称の組織による文書で説明されている。本明細書で説明されている技法は、上述されたシステムおよび無線技術と、ならびに他のシステムおよび無線技術にも使用され得る。ＬＴＥまたはＮＲシステムの態様が、例を目的として説明され得、ＬＴＥまたはＮＲ用語が、説明の大部分において使用され得る一方で、本明細書で説明される技法は、ＬＴＥまたはＮＲアプリケーションを超えて適用可能である。
【０１６３】
[0173]本明細書に説明されたそのようなネットワークを含むＬＴＥ／ＬＴＥ−Ａネットワークでは、発展型ノードＢ（ｅＮＢ）という用語は概して、基地局を説明するために使用され得る。本明細書に説明された１つまたは複数のワイヤレス通信システムは、異なるタイプのｅＮＢが様々な地理的領域に対してカバレッジを提供する異種ＬＴＥ／ＬＴＥ−ＡまたはＮＲネットワークを含み得る。例えば、各ｅＮＢ、次世代ノードＢ（ｇＮＢ）、または基地局は、マクロセル、スモールセル、または他のタイプのセルに対して通信カバレッジを提供し得る。「セル」という用語は、コンテキストに応じて、基地局、基地局に関連するキャリアまたはコンポーネントキャリア、あるいは基地局またはキャリアのカバレッジエリア（例えば、セクタ等）を説明するために使用され得る。
【０１６４】
[0174]  基地局は、当業者によって、トランシーバ基地局、無線基地局、アクセスポイント、無線トランシーバ、ノードＢ、ｅノードＢ（ｅＮＢ）、ｇＮＢ、ホームノードＢ、ホームｅノードＢ、または何らかの他の適切な用語で呼ばれ得るか、またはそれらを含み得る。基地局の地理的なカバレッジエリアは、カバレッジエリアの一部のみを構成するセクタに分割され得る。本明細書に説明された１つまたは複数のワイヤレス通信システムは、異なるタイプの基地局（例えば、マクロまたはスモールセル基地局）を含み得る。本明細書で説明されたＵＥは、マクロｅＮＢ、スモールセルｅＮＢ、ｇＮＢ、中継基地局、および同様のものを含む、様々なタイプの基地局およびネットワーク機器と通信することが可能であり得る。異なる技術のために重複している地理的カバレッジエリアが存在し得る。
【０１６５】
[0175]マクロセルは概して、比較的大きな地理的エリア（例えば、半径数キロメートル）をカバーし、ネットワークプロバイダにサービス加入しているＵＥによる無制限のアクセスを可能にし得る。スモールセルは、マクロセルと比較すると、マクロセルと同じまたは異なる（例えば、認可済、無認可、等の）周波数帯域中で動作し得るより低電力の基地局である。スモールセルは、様々な例にしたがって、ピコセル、フェムトセル、およびマイクロセルを含み得る。ピコセルは、例えば、小さな地理的エリアをカバーし、ネットワークプロバイダにサービス加入しているＵＥによる無制限のアクセスを可能にし得る。フェムトセルもまた、小さな地理的エリア（例えば、家）をカバーし、フェムトセルとの関連付けを有するＵＥ（例えば、クローズド加入者グループ（ＣＳＧ）中のＵＥ、家の中にいるユーザのためのＵＥ、等）による制限されたアクセスを提供し得る。マクロセルのためのｅＮＢは、マクロｅＮＢと称されうる。スモールセルに対するｅＮＢは、スモールセルｅＮＢ、ピコｅＮＢ、フェムトｅＮＢ、またはホームｅＮＢと呼ばれ得る。ｅＮＢは、１つまたは複数（たとえば、２つ、３つ、４つ等）のセル（たとえば、コンポーネントキャリア）をサポートしうる。
【０１６６】
[0176]本明細書に説明された１つまたは複数のワイヤレス通信システムは、同期または非同期動作をサポートし得る。同期動作の場合、複数の基地局は、同様のフレームタイミングを有し得、異なる基地局からの送信は、時間的にほぼアラインされ得る。非同期動作では、基地局は異なるフレームタイミングを有し得、異なる基地局からの送信が時間的にアラインされないことがある。本明細書に説明された技法は、同期または非同期動作のいずれかに対して使用され得る。
【０１６７】
[0177]本明細書に説明されたダウンリンク送信はまた、順方向リンク送信と呼ばれ、その一方でアップリンク送信はまた、逆方向リンク送信と呼ばれ得る。例えば、図１および２のワイヤレス通信システム１００および２００を含む、ここに説明された各通信リンクは、１つまたは複数のキャリアを含み得、ここで、各キャリアは、複数のサブキャリア（例えば、異なる周波数の波形信号）から成る信号であり得る。
【０１６８】
[0178]添付された図面に関連して本明細書に記載された説明は、実例的な構成を説明しており、インプリメントされ得るまたは特許請求の範囲内にある全ての例を表してはいない。本明細書に使用される「例証的（ｅｘｅｍｐｌａｒｙ）」という用語は、「好ましい」または「他の例より有利である」ということではなく、「例、事例、または例示としての役割を果たすこと」を意味する。詳細な説明は、説明された技法の理解を提供することを目的として特定の詳細を含む。しかしながら、これらの技術は、これらの具体的な詳細なしに実施され得る。いくつかの事例では、周知の構造およびデバイスは、説明されている例のコンセプトを暖味にすることを回避するためにブロック図の形態で図示されている。
【０１６９】
[0179]添付された図面では、同様のコンポーネントまたは特徴は、同じ参照ラベルを有し得る。さらに、同じタイプの様々なコンポーネントは、参照ラベルに、ハイフンと、類似のコンポーネントを区別する第２のラベルとを後続させることによって区別され得る。本明細書中で第１の参照ラベルだけが使用される場合、その説明は、第２の参照ラベルに関係なく同じ第１の参照ラベルを有する同様のコンポーネントのうちのどの１つにも適用可能である。
【０１７０】
[0180]本明細書に説明された情報および信号は、多様な異なる技術および技法のうちの任意のものを使用して表わされ得る。例えば、上記の説明全体を通じて参照されうるデータ、命令、コマンド、情報、信号、ビット、シンボル、およびチップは、電圧、電流、電磁波、磁場または磁性粒子、光場または光粒子、あるいはそれらの任意の組み合わせによって表され得る。
【０１７１】
[0181]本明細書での開示に関連して説明された様々な例示的なブロックおよびモジュールは、汎用プロセッサ、ＤＳＰ、ＡＳＩＣ、ＦＰＧＡまたは他のプログラマブルロジックデバイス、ディスクリートゲートまたはトランジスタロジック、ディスクリートハードウェアコンポーネント、あるいはここに説明された機能を遂行するように設計されたそれらの任意の組み合わせを用いてインプリメントまたは遂行され得る。汎用プロセッサは、マイクロプロセッサであり得るが、代替では、プロセッサは、任意の従来のプロセッサ、コントローラ、マイクロコントローラ、またはステートマシンであり得る。プロセッサはまた、コンピューティングデバイスの組み合わせ（例えば、ＤＳＰおよびマイクロプロセッサの組み合わせ、複数のマイクロプロセッサ、ＤＳＰコアと連携した１つまたは複数のマイクロプロセッサ、あるいは任意の他のそのような構成）としてインプリメントされ得る。さらに本明細書で使用され得るように、プロセッサは、その構造上の意味を参照し得る。
【０１７２】
[0182]本明細書に説明された機能は、ハードウェア、プロセッサによって実行されるソフトウェア、ファームウェア、またはそれらの任意の組み合わせにおいてインプリメントされ得る。プロセッサによって実行されるソフトウェアで実装される場合、機能は、コンピュータ可読媒体上で１つまたは複数の命令またはコードとして記憶または送信され得る。他の例およびインプリメンテーションは、本開示および添付の請求項の範囲内にある。例えば、ソフトウェアの性質に起因して、上述された機能は、プロセッサによって実行されるソフトウェア、ハードウェア、ファームウェア、ハードワイヤリング、またはこれらのうちのいずれのものの組合せを使用してもインプリメントされ得る。機能を実装する特徴はまた、機能の部分が、異なる物理的ロケーションで実装されるように分散されることを含む、様々な場所に物理的に位置付けられ得る。また、請求項を含めて、本明細書で使用されるように、項目のリストにおいて使用される「または」（例えば、「〜のうちの少なくとも１つ」あるいは「〜のうちの１つまたは複数」などのフレーズによって前置きされる項目のリスト）は、例えばＡ、Ｂ、またはＣのうちの少なくとも１つのリストが、ＡまたはＢまたはＣまたはＡＢまたはＡＣまたはＢＣまたはＡＢＣ（すなわち、ＡおよびＢおよびＣ）を意味するように、選言的なリスト（ｄｉｓｊｕｎｃｔｉｖｅ  ｌｉｓｔ）を示す。また、本明細書で使用される場合、「〜に基づいて」という表現は、条件の閉集合への参照として解釈されないものとする。例えば、「条件Ａに基づいて」と説明された例示的なステップは、本開示の範囲から逸脱することなく条件Ａと条件Ｂの両方に基づき得る。換言すれば、本明細書で使用される場合、「〜に基づいて」という表現は、「〜に少なくとも部分的に基づいて」という表現と同様に解釈されるものとする。
【０１７３】
[0183]コンピュータ可読媒体は、ある場所から別の場所へのコンピュータプログラムの転送を容易にする任意の媒体を含む通信媒体と非一時的コンピュータ記憶媒体との両方を含む。非一時的記憶媒体は、汎用または特殊用途コンピュータによってアクセスされることができる任意の利用可能な媒体であり得る。限定ではなく例として、非一時的コンピュータ可読媒体は、ＲＡＭ、ＲＯＭ、電気的消去可能プログラマブル読取専用メモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、あるいはデータ構造または命令の形態で所望されたプログラムコード手段を記憶または搬送するために使用されることができ、汎用または特殊用途コンピュータ、もしくは汎用または特殊用途プロセッサによってアクセスされることができる任意の他の非一時的媒体を備えることができる。また、あらゆる接続手段がコンピュータ可読媒体と適当に名付けられる。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバーケーブル、ツイストペア、ＤＳＬ、または赤外線、無線、およびマイクロ波のようなワイヤレス技術は、媒体の定義に含まれる。本明細書で使用される場合、ディスク（ｄｉｓｋ）およびディスク（ｄｉｓｃ）は、ＣＤ、レーザーディスク（登録商標）（ｄｉｓｃ）、光学ディスク（ｄｉｓｃ）、デジタル多目的ディスク（ｄｉｓｃ）（ＤＶＤ）、フロッピー（登録商標）ディスク（ｄｉｓｋ）、およびブルーレイディスク（ｄｉｓｃ）を含み、ここでディスク（ｄｉｓｋ）は通常磁気的にデータを再生する一方で、ディスク（ｄｉｓｃ）は、レーザーを用いて光学的にデータを再生する。上記の組合せもまた、コンピュータ可読媒体の範囲内に含まれる。
【０１７４】
[0184]本明細書での説明は、当業者が本開示を製造または使用することを可能にするために提供される。本開示に対する様々な修正は、当業者にとって容易に明らかとなり、本明細書に定義された包括的な原理は、本開示の範囲から逸脱することなしに他の変形に適用され得る。したがって、本開示は、本明細書で説明された例および設計に限定されるべきではなく、本明細書で開示された原理および新規の特徴に合致する最も広い範囲を与えられることとなる。
【図１】
2020518194.tif 000003
【図２】
2020518194.tif 000004
【図３】
2020518194.tif 000005
【図４Ａ】
2020518194.tif 000006
【図４Ｂ】
2020518194.tif 000007
【図５Ａ】
2020518194.tif 000008
【図５Ｂ】
2020518194.tif 000009
【図６Ａ】
2020518194.tif 000010
【図６Ｂ】
2020518194.tif 000011
【図７】
2020518194.tif 000012
【図８】
2020518194.tif 000013
【図９】
2020518194.tif 000014
【図１０】
2020518194.tif 000015
【図１１】
2020518194.tif 000016
【図１２】
2020518194.tif 000017
【図１３】
2020518194.tif 000018
【図１４】
2020518194.tif 000019
【図１５】
2020518194.tif 000020
【国際調査報告】
2020518194.tif 000021
2020518194.tif 000022